(57)【特許請求の範囲】
【請求項１】
信号を受信するためのキャリアタイプを検出することと、
前記検出されたキャリアタイプに少なくとも部分的に基づいてチャネル品質情報（ＣＱＩ）を判断することと、
前記ＣＱＩを送信することとを備える、
ここにおいて、前記ＣＱＩが、第１の検出されたキャリアタイプのためのオーバーヘッド仮定の第１のセットに基づいて判断され、第２の検出されたキャリアタイプのためのオーバーヘッド仮定の第２のセットに基づいて判断され、
ここにおいて、前記第２の検出されたキャリアタイプがニューキャリアタイプであり、前記ＣＱＩが、制御シグナリングによって占有されない、前記ニューキャリアタイプのサブフレームの最初の３つのシンボルに基づいて判断される、ワイヤレス通信の方法。
【請求項２】
オーバーヘッド仮定の前記第１のセットとオーバーヘッド仮定の前記第２のセットとの間の差が、ダウンリンク制御シグナリングまたは共通基準信号のうちの少なくとも１つを備える、請求項１に記載の方法。
【請求項３】
オーバーヘッド仮定の前記第２のセットがサブフレームタイプに基づいて判断される、請求項１に記載の方法。
【請求項４】
信号を受信するためのキャリアタイプを検出するための手段と、
前記検出されたキャリアタイプに少なくとも部分的に基づいてチャネル品質情報（ＣＱＩ）を判断するための手段と、
前記ＣＱＩを送信するための手段とを備える、
ここにおいて、前記ＣＱＩが、第１の検出されたキャリアタイプのためのオーバーヘッド仮定の第１のセットに基づいて判断され、第２の検出されたキャリアタイプのためのオーバーヘッド仮定の第２のセットに基づいて判断される、
ここにおいて、前記第２の検出されたキャリアタイプがニューキャリアタイプであり、前記ＣＱＩが、制御シグナリングによって占有されない、前記ニューキャリアタイプのサブフレームの最初の３つのシンボルに基づいて判断される、
ワイヤレス通信のための装置。
【請求項５】
オーバーヘッド仮定の前記第１のセットとオーバーヘッド仮定の前記第２のセットとの間の差が、ダウンリンク制御シグナリングまたは共通基準信号のうちの少なくとも１つを備える、請求項４に記載の装置。
【請求項６】
オーバーヘッド仮定の前記第２のセットがサブフレームタイプに基づいて判断される、請求項４に記載の装置。
【請求項７】
信号を受信するためのキャリアタイプを検出することと、
前記検出されたキャリアタイプに少なくとも部分的に基づいてチャネル品質情報（ＣＱＩ）を判断することと、
前記ＣＱＩを送信することとを行うように構成された処理システムを備える、
ここにおいて、前記ＣＱＩが、第１の検出されたキャリアタイプのためのオーバーヘッド仮定の第１のセットに基づいて判断され、第２の検出されたキャリアタイプのためのオーバーヘッド仮定の第２のセットに基づいて判断される、
ここにおいて、前記第２の検出されたキャリアタイプがニューキャリアタイプであり、前記ＣＱＩが、制御シグナリングによって占有されない、前記ニューキャリアタイプのサブフレームの最初の３つのシンボルに基づいて判断される、
ワイヤレス通信のための装置。
【請求項８】
オーバーヘッド仮定の前記第１のセットとオーバーヘッド仮定の前記第２のセットとの間の差が、ダウンリンク制御シグナリングまたは共通基準信号のうちの少なくとも１つを備える、請求項７に記載の装置。
【請求項９】
オーバーヘッド仮定の前記第２のセットがサブフレームタイプに基づいて判断される、請求項７に記載の装置。
【請求項１０】
コンピュータによって実行可能なコンピュータプログラムであって、
信号を受信するためのキャリアタイプを検出することと、
前記検出されたキャリアタイプに少なくとも部分的に基づいてチャネル品質情報（ＣＱＩ）を判断することと、
前記ＣＱＩを送信することとを行うためのコードを備える、
ここにおいて、前記ＣＱＩが、第１の検出されたキャリアタイプのためのオーバーヘッド仮定の第１のセットに基づいて判断され、第２の検出されたキャリアタイプのためのオーバーヘッド仮定の第２のセットに基づいて判断される、
ここにおいて、前記第２の検出されたキャリアタイプがニューキャリアタイプであり、前記ＣＱＩが、制御シグナリングによって占有されない、前記ニューキャリアタイプのサブフレームの最初の３つのシンボルに基づいて判断される、
コンピュータプログラム。
【発明の詳細な説明】
【関連出願】
【０００１】
関連出願の相互参照
[0001]  本出願は、「TRANSPORT BLOCK SIZE DETERMINATION IN NEW CARRIER TYPE IN LTE」と題し２０１２年６月１２日に出願された米国仮出願第６１／６５８，８０９号、および「TRANSPORT BLOCK SIZE DETERMINATION IN NEW CARRIER TYPE IN LTE」と題し２０１３年６月１０日に出願された米国特許出願第１３／９１４，４４４号の利益を主張するもので、これら全てが参照によって明確に本明細書に組み込まれる。
【技術分野】
【０００２】
[0002]  本開示は一般に通信システムに関し、より詳細には、ＬＴＥ（登録商標）通信システムのニューキャリアタイプにおいてトランスポートブロックサイズを判断することに関する。
【背景技術】
【０００３】
[0003]  ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（例えば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]  これら多元接続技術は、異なるワイヤレスデバイスが都市、国家、地域、さらには地球規模で通信することを可能にする共通プロトコルを提供するために、様々な電気通信規格において採用されている。新生の電気通信規格の例は、ロングタームエボリューション（ＬＴＥ：Long Term Evolution）である。ＬＴＥは、第３世代パートナーシッププロジェクト（３ＧＰＰ（登録商標）：3rd Generation Partnership Project）によって公表されたユニバーサルモバイルテレコミュニケーションシステム（ＵＭＴＳ：Universal Mobile Telecommunication System）モバイル規格の拡張セットである。ＬＴＥは、スペクトル効率を改善することによってモバイルブロードバンドインターネットアクセスをより良くサポートし、コストを下げ、サービスを改善し、新しいスペクトルを利用し、また、ダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合するように設計されている。しかしながら、モバイルブロードバンドアクセスに対する需要が増加し続けるにつれて、ＬＴＥ技術のさらなる改善が必要である。好ましくは、これら改善は、他の多元接続技術と、これら技術を採用する電気通信規格とに適用可能であるべきである。
【発明の概要】
【０００５】
[0005]  本開示の一態様では、ワイヤレス通信のための方法、装置、およびコンピュータプログラム製品が提供される。本装置は、信号を受信するためのキャリアタイプを検出し、検出されたキャリアタイプに基づいてトランスポートブロックサイズ（ＴＢＳ）を判断し、判断されたＴＢＳに従って信号を受信する。
【０００６】
[0006]  本開示の別の態様では、本装置が、信号を受信するためのキャリアタイプを検出し、検出されたキャリアタイプに基づいてチャネル品質情報（ＣＱＩ）を判断し、ＣＱＩを送信する。
【０００７】
[0007]  本開示のさらなる態様では、本装置が、信号を送信するためのキャリアタイプを判断し、キャリアタイプに基づいてトランスポートブロックサイズ（ＴＢＳ）を判断し、判断されたキャリアタイプとＴＢＳとに従って信号を送信する。
【０００８】
[0008]  本開示のまた別の態様では、本装置が、信号を送信するためのキャリアタイプを判断し、判断されたキャリアタイプに従って信号を送信し、キャリアタイプに基づいてユーザ機器（ＵＥ）からチャネル品質情報（ＣＱＩ）を受信する。
【図面の簡単な説明】
【０００９】
【図１】ネットワークアーキテクチャの一例を示す図。
【図２】アクセスネットワークの一例を示す図。
【図３】ＬＴＥにおけるＤＬフレーム構造の一例を示す図。
【図４】ＬＴＥにおけるＵＬフレーム構造の一例を示す図。
【図５】ユーザプレーンおよび制御プレーンのための無線プロトコルアーキテクチャの一例を示す図。
【図６】アクセスネットワーク中の発展型ノードＢおよびユーザ機器の一例を示す図。
【図７】異種ネットワーク中の範囲拡大セルラー領域を示す図。
【図８】ワイヤレス通信の方法のフローチャート。
【図９】ワイヤレス通信の方法のフローチャート。
【図１０】ワイヤレス通信の方法のフローチャート。
【図１１】ワイヤレス通信の方法のフローチャート。
【図１２】例示的な装置中の異なるモジュール／手段／構成要素間のデータフローを示す概念データフロー図。
【図１３】例示的な装置中の異なるモジュール／手段／構成要素間のデータフローを示す概念データフロー図。
【図１４】処理システムを採用する装置のためのハードウェア実装形態の一例を示す図。
【図１５】処理システムを採用する装置のためのハードウェア実装形態の一例を示す図。
【発明を実施するための形態】
【００１０】
詳細な説明
[0024]  添付の図面に関して以下に示す発明を実施するための形態は、様々な構成を説明するものであり、本明細書で説明する概念が実施され得る唯一の構成を表すものではない。発明を実施するための形態は、様々な概念の完全な理解を与えるための具体的な詳細を含む。但し、これら概念はこれらの具体的な詳細なしに実施され得ることが当業者には明らかであろう。いくつかの例では、そのような概念を不明瞭にしないように、よく知られている構造および構成要素をブロック図の形式で示す。
【００１１】
[0025]  次に、様々な装置および方法に関して電気通信システムのいくつかの態様を提示する。これら装置および方法について、以下の詳細な説明において説明し、（「要素」と総称される）様々なブロック、モジュール、構成要素、回路、ステップ、プロセス、アルゴリズムなどによって添付の図面に示す。これら要素は、電子ハードウェア、コンピュータソフトウェア、またはそれらの任意の組合せを使用して実装され得る。そのような要素をハードウェアとして実装するか、ソフトウェアとして実装するかは、特定の適用例および全体的なシステムに課された設計制約に依存する。
【００１２】
[0026]  例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を行うように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１３】
[0027]  従って、１つまたは複数の例示的な実施形態では、説明する機能が、ハードウェア、ソフトウェア、ファームウェア、またはそれらの任意の組合せで実装され得る。ソフトウェアで実装した場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、この場合、ディスク（disk）は、通常、データを磁気的に再生し、ディスク（disc）はデータをレーザーで光学的に再生する。上記の組合せもコンピュータ可読媒体の範囲内に含めるべきである。
【００１４】
[0028]  図１は、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、ホーム加入者サーバ（ＨＳＳ：Home Subscriber Server）１２０と、事業者のＩＰサービス１２２とを含み得る。ＥＰＳは他のアクセスネットワークと相互接続できるが、簡単のために、それらのエンティティ／インターフェースは図示していない。図示のように、ＥＰＳはパケット交換サービスを提供するが、当業者なら容易に諒解するように、本開示全体にわたって提示する様々な概念は、回線交換サービスを提供するネットワークに拡張され得る。
【００１５】
[0029]  Ｅ−ＵＴＲＡＮは、発展型ノードＢ（ｅＮＢ）１０６と他のｅＮＢ１０８とを含む。ｅＮＢ１０６は、ＵＥ１０２に対してユーザプレーンプロトコル終端と制御プレーンプロトコル終端とを与える。ｅＮＢ１０６は、バックホール（例えば、Ｘ２インターフェース）を介して他のｅＮＢ１０８に接続され得る。ｅＮＢ１０６は、基地局、トランシーバ基地局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。ｅＮＢ１０６は、ＵＥ１０２にＥＰＣ１１０へのアクセスポイントを与える。ＵＥ１０２の例としては、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（例えば、ＭＰ３プレーヤ）、カメラ、ゲーム機、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００１６】
[0030]  ｅＮＢ１０６はＳ１インターフェースによってＥＰＣ１１０に接続される。ＥＰＣ１１０は、モビリティ管理エンティティ（ＭＭＥ：Mobility Management Entity）１１２と、他のＭＭＥ１１４と、サービングゲートウェイ１１６と、パケットデータネットワーク（ＰＤＮ：Packet Data Network）ゲートウェイ１１８とを含む。ＭＭＥ１１２は、ＵＥ１０２とＥＰＣ１１０との間のシグナリングを処理する制御ノードである。概して、ＭＭＥ１１２はベアラおよび接続管理を行う。全てのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振り並びに他の機能を与える。ＰＤＮゲートウェイ１１８は事業者のＩＰサービス１２２に接続される。事業者のＩＰサービス１２２は、インターネットと、イントラネットと、ＩＰマルチメディアサブシステム（ＩＭＳ：IP Multimedia Subsystem）と、ＰＳストリーミングサービス（ＰＳＳ：PS Streaming Service）とを含み得る。
【００１７】
[0031]  図２は、ＬＴＥネットワークアーキテクチャにおけるアクセスネットワーク２００の一例を示す図である。この例では、アクセスネットワーク２００が、いくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、フェムトセル（例えば、ホームｅＮＢ（ＨｅＮＢ））、ピコセル、マイクロセル、またはリモートラジオヘッド（ＲＲＨ: remote radio head）であり得る。マクロｅＮＢ２０４は各々、該当のセル２０２に割り当てられ、セル２０２中の全てのＵＥ２０６にＥＰＣ１１０へのアクセスポイントを与えるように構成される。アクセスネットワーク２００のこの例には集中コントローラはないが、代替構成では集中コントローラが使用され得る。ｅＮＢ２０４は、無線ベアラ制御、承認制御、モビリティ制御、スケジューリング、セキュリティ、およびサービングゲートウェイ１１６への接続性を含む、全ての無線関係機能を担う。
【００１８】
[0032]  アクセスネットワーク２００によって採用される変調および多元接続方式は、展開されている特定の電気通信規格に応じて異なり得る。ＬＴＥ適用例では、周波数分割複信（ＦＤＤ：frequency division duplexing）と時分割複信（ＴＤＤ：time division duplexing）の両方をサポートするために、ＯＦＤＭがＤＬ上で使用され、ＳＣ−ＦＤＭＡがＵＬ上で使用される。当業者なら以下の詳細な説明から容易に諒解するように、本明細書で提示する様々な概念は、ＬＴＥ適用例に好適である。但し、これら概念は、他の変調および多元接続技法を採用する他の電気通信規格に容易に拡張され得る。例として、これら概念は、エボリューションデータオプティマイズド（ＥＶ−ＤＯ：Evolution-Data Optimized）またはウルトラモバイルブロードバンド（ＵＭＢ：Ultra Mobile Broadband）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、ＣＤＭＡを利用して移動局にブロードバンドインターネットアクセスを提供する。これら概念はまた、広帯域ＣＤＭＡ（Ｗ−ＣＤＭＡ（登録商標））、並びにＴＤ−ＳＣＤＭＡ、ＴＤＭＡを採用するモバイル通信用グローバルシステム（ＧＳＭ（登録商標）：Global System for Mobile Communications）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＯＦＤＭＡを採用するＦｌａｓｈ−ＯＦＤＭなど、ＣＤＭＡの他の変形態を採用するユニバーサル地上波無線アクセス（ＵＴＲＡ：Universal Terrestrial Radio Access）に拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課された全体的な設計制約に依存することになる。
【００１９】
[0033]  ｅＮＢ２０４は、ＭＩＭＯ技術をサポートする複数のアンテナを有し得る。ＭＩＭＯ技術の使用により、ｅＮＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコードし（すなわち、振幅および位相のスケーリングを適用し）、次いでＤＬ上で複数の送信アンテナを通して空間的にプリコードされた各ストリームを送信することによって達成される。空間的にプリコードされたデータストリームは、異なる空間シグナチャとともに（１つまたは複数の）ＵＥ２０６に到着し、これにより、（１つまたは複数の）ＵＥ２０６の各々がそのＵＥ２０６に宛てられた１つまたは複数のデータストリームを復元することが可能になる。ＵＬ上で、各ＵＥ２０６は、空間的にプリコードされたデータストリームを送信し、これにより、ｅＮＢ２０４は、空間的にプリコードされた各データストリームのソースを識別することが可能になる。
【００２０】
[0034]  空間多重化は、概ね、チャネル状態が良好であるときに使用される。チャネル状態があまり良好でないときは、送信エネルギーを１つまたは複数の方向に集中させるためにビームフォーミングが使用され得る。これは、複数のアンテナを通して送信するためのデータを空間的にプリコードすることによって達成され得る。セルのエッジにおいて良好なカバレージを達成するために、送信ダイバーシティと組み合わせてシングルストリームビームフォーミング送信が使用され得る。
【００２１】
[0035]  以下の詳細な説明では、ＤＬ上でＯＦＤＭをサポートするＭＩＭＯシステムを参照しながらアクセスネットワークの様々な態様について説明する。ＯＦＤＭは、ＯＦＤＭシンボル内のいくつかのサブキャリアを介してデータを変調するスペクトル拡散技法である。サブキャリアは正確な周波数で離間する。離間は、受信機がサブキャリアからデータを復元することを可能にする「直交性（orthogonality）」を与える。時間領域では、ＯＦＤＭシンボル間干渉をなくすために、ガードインターバル（例えば、サイクリックプレフィックス）が各ＯＦＤＭシンボルに追加され得る。ＵＬは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００２２】
[0036]  図３は、ＬＴＥにおけるＤＬフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、リソースブロックが、周波数領域中に１２個の連続サブキャリアを含んでおり、各ＯＦＤＭシンボル中のノーマルサイクリックプレフィックスについて、時間領域中に７個の連続ＯＦＤＭシンボル、または８４個のリソース要素を含んでいる。拡張サイクリックプレフィックスについて、リソースブロックは、時間領域中に６個の連続ＯＦＤＭシンボルを含んでおり、７２個のリソース要素を有する。Ｒ３０２、３０４として示されるリソース要素のいくつかはＤＬ基準信号（ＤＬ−ＲＳ：DL reference signal）を含む。ＤＬ−ＲＳは、セル固有ＲＳ（ＣＲＳ：Cell-specific RS）（共通ＲＳ(common RS)と呼ばれることもある）３０２と、ＵＥ固有ＲＳ（ＵＥ−ＲＳ：UE-specific RS）３０４とを含む。ＵＥ−ＲＳ３０４は、対応する物理ＤＬ共有チャネル（ＰＤＳＣＨ：physical DL shared channel）がマッピングされるリソースブロック上のみで送信される。各リソース要素によって搬送されるビット数は変調方式に依存する。すなわち、ＵＥが受信するリソースブロックが多いほど、また変調方式が高いほど、ＵＥのデータレートは高くなる。
【００２３】
[0037]  図４は、ＬＴＥにおけるＵＬフレーム構造の例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報を送信するためにＵＥに割り当てられ得る。データセクションは、制御セクション中に含まれない全てのリソースブロックを含み得る。ＵＬフレーム構造は、データセクション中の連続するサブキャリアのすべてを単一のＵＥに割り当てることを可能にし得る連続サブキャリアを含むデータセクションを生じる。
【００２４】
[0038]  ＵＥには、ｅＮＢに制御情報を送信するために、制御セクション中のリソースブロック４１０ａ、４１０ｂが割り当てられ得る。ＵＥには、ｅＮＢにデータを送信するために、データセクション中のリソースブロック４２０ａ、４２０ｂも割り当てられ得る。ＵＥは、制御セクション中の割り当てられたリソースブロック上の物理ＵＬ制御チャネル（ＰＵＣＣＨ：physical UL control channel）中で制御情報を送信し得る。ＵＥは、データセクション中の割り当てられたリソースブロック上の物理ＵＬ共有チャネル（ＰＵＳＣＨ：physical UL shared channel）中でデータのみまたはデータと制御情報の両方を送信し得る。ＵＬ送信は、サブフレームの両方のスロットにわたり得、周波数上でホッピングし得る。
【００２５】
[0039]  リソースブロックのセットが、初期システムアクセスを行い、物理ランダムアクセスチャネル（ＰＲＡＣＨ：physical random access channel）４３０中でＵＬ同期を達成するために使用され得る。ＰＲＡＣＨ４３０は、ランダムシーケンスを搬送し、いかなるＵＬデータ／シグナリングも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥは、フレーム（１０ｍｓ）ごとに単一のＰＲＡＣＨ試みだけを行うことができる。
【００２６】
[0040]  図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、レイヤ１と、レイヤ２と、レイヤ３との３つのレイヤとともに示されている。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅＮＢとの間のリンクを担う。
【００２７】
[0041]  ユーザプレーンでは、Ｌ２レイヤ５０８が、ネットワーク側のｅＮＢにおいて終端される、媒体アクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（例えば、ＩＰレイヤ）と、接続の他端（例えば、ファーエンドＵＥ、サーバなど）において終端されるアプリケーションレイヤとを含むＬ２レイヤ５０８の上にいくつかの上位レイヤを有し得る。
【００２８】
[0042]  ＰＤＣＰサブレイヤ５１４は、異なる無線ベアラと論理チャネルとの間で多重化を行う。ＰＤＣＰサブレイヤ５１４はまた、無線送信オーバーヘッドを低減するために上位レイヤデータパケットのヘッダ圧縮と、データパケットを暗号化することによるセキュリティと、ＵＥに対するｅＮＢ間のハンドオーバサポートとを与える。ＲＬＣサブレイヤ５１２は、上位レイヤデータパケットのセグメンテーションおよび再統合と、紛失データパケットの再送信と、ハイブリッド自動再送要求（ＨＡＲＱ：hybrid automatic repeat request）による、順序が乱れた受信を補正するデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル中の様々な無線リソース（例えば、リソースブロック）を割り振ることを担う。ＭＡＣサブレイヤ５１０はまたＨＡＲＱ動作を担う。
【００２９】
[0043]  制御プレーンでは、ＵＥおよびｅＮＢのための無線プロトコルアーキテクチャが、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（すなわち、無線ベアラ）を取得することと、ｅＮＢとＵＥとの間のＲＲＣシグナリングを使用して下位レイヤを構成することとを担う。
【００３０】
[0044]  図６は、アクセスネットワーク中でＵＥ６５０と通信しているｅＮＢ６１０のブロック図である。ＤＬでは、コアネットワークからの上位レイヤパケットが、コントローラ／プロセッサ６７５に与えられる。コントローラ／プロセッサ６７５は、Ｌ２レイヤの機能を実装する。ＤＬでは、コントローラ／プロセッサ６７５が、様々な優先度メトリックに基づいてヘッダ圧縮と、暗号化と、パケットのセグメント化および並べ替えと、論理チャネルとトランスポートチャネルとの間の多重化と、ＵＥ６５０への無線リソース割振りとを行う。コントローラ／プロセッサ６７５はまた、ＨＡＲＱ動作と、紛失パケットの再送信と、ＵＥ６５０へのシグナリングとを担う。
【００３１】
[0045]  送信（ＴＸ）プロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（例えば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づいた信号コンスタレーションへのマッピングとを可能にするために、コーディングとインターリービングとを含む。次いで、符号化され変調されたシンボルは並列ストリームに分割される。各ストリームは、次いでＯＦＤＭサブキャリアにマッピングされ、時間領域および／または周波数領域中で基準信号（例えば、パイロット）と多重化され、次いで逆高速フーリエ変換（ＩＦＦＴ：Inverse Fast Fourier Transform）を使用して互いに合成されて、時間領域ＯＦＤＭシンボルストリームを搬送する物理チャネルを生成する。ＯＦＤＭストリームは、複数の空間ストリームを生成するために空間的にプリコードされる。チャネル推定器６７４からのチャネル推定値は、符号化および変調方式を判断するために、並びに空間処理のために使用され得る。チャネル推定値は、ＵＥ６５０によって送信される基準信号および／またはチャネル状態フィードバックから導出され得る。次いで、各空間ストリームは、別個の送信機６１８ＴＸを介して異なるアンテナ６２０に与えられる。各送信機６１８ＴＸは、送信のために該当の空間ストリームでＲＦキャリアを変調する。
【００３２】
[0046]  ＵＥ６５０において、各受信機６５４ＲＸは、その該当のアンテナ６５２を通して信号を受信する。各受信機６５４ＲＸは、ＲＦキャリア上に変調された情報を復元し、受信（ＲＸ）プロセッサ６５６に情報を与える。ＲＸプロセッサ６５６は、Ｌ１レイヤの様々な信号処理機能を実装する。ＲＸプロセッサ６５６は、ＵＥ６５０に宛てられた任意の空間ストリームを復元するために、情報に対して空間処理を行う。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで高速フーリエ変換（ＦＦＴ：Fast Fourier Transform）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと基準信号とは、ｅＮＢ６１０によって送信される、可能性が最も高い信号のコンスタレーションポイントを判断することによって復元され、復調される。これらの軟判定は、チャネル推定器６５８によって計算されるチャネル推定値に基づき得る。軟判定は、次いで、物理チャネル上でｅＮＢ６１０によって最初に送信されたデータおよび制御信号を復元するために復号され、デインターリーブされる。データおよび制御信号は、次いで、コントローラ／プロセッサ６５９に与えられる。
【００３３】
[0047]  コントローラ／プロセッサ６５９はＬ２レイヤを実装する。コントローラ／プロセッサは、プログラムコードとデータとを記憶するメモリ６６０に関連し得る。メモリ６６０はコンピュータ可読媒体と呼ばれることがある。ＵＬでは、コントローラ／プロセッサ６５９が、コアネットワークからの上位レイヤパケットを復元するために、トランスポートチャネルと論理チャネルとの間の多重分離と、パケットリアセンブリと、復号（decipher）と、ヘッダ復元（decompression）と、制御信号処理とを行う。上位レイヤパケットは、次いで、Ｌ２レイヤの上の全てのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担う。
【００３４】
[0048]  ＵＬでは、データソース６６７が、コントローラ／プロセッサ６５９に上位レイヤパケットを与えるために使用される。データソース６６７は、Ｌ２レイヤの上の全てのプロトコルレイヤを表す。ｅＮＢ６１０によるＤＬ送信に関して説明した機能と同様に、コントローラ／プロセッサ６５９は、ヘッダ圧縮と、暗号化と、パケットのセグメント化および並べ替えと、ｅＮＢ６１０による無線リソース割振りに基づいた論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作、紛失パケットの再送信、およびｅＮＢ６１０へのシグナリングを担う。
【００３５】
[0049]  ｅＮＢ６１０によって送信される基準信号またはフィードバックからの、チャネル推定器６５８によって導出されるチャネル推定値は、適切な符号化および変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられる。各送信機６５４ＴＸは、送信のために該当の空間ストリームでＲＦキャリアを変調する。
【００３６】
[0050]  ＵＬ送信は、ＵＥ６５０における受信機機能に関して説明した方法と同様の方法でｅＮＢ６１０において処理される。各受信機６１８ＲＸは、その該当のアンテナ６２０を通して信号を受信する。各受信機６１８ＲＸは、ＲＦキャリア上で変調された情報を復元し、ＲＸプロセッサ６７０に情報を与える。ＲＸプロセッサ６７０はＬ１レイヤを実装し得る。
【００３７】
[0051]  コントローラ／プロセッサ６７５はＬ２レイヤを実装する。コントローラ／プロセッサ６７５は、プログラムコードとデータとを記憶するメモリ６７６に関連し得る。メモリ６７６は、コンピュータ可読媒体と呼ばれることがある。ＵＬでは、コントローラ／プロセッサ６７５が、ＵＥ６５０からの上位レイヤパケットを復元するために、トランスポートチャネルと論理チャネルとの間の多重分離と、パケットリアセンブリと、復号と、ヘッダ復元と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用した誤り検出を担う。
【００３８】
[0052]  図７は、異種ネットワーク中の範囲拡大セルラー領域(range expanded cellular region)を示す図７００である。ＲＲＨ７１０ｂなどのより低い電力クラスのｅＮＢは、ＲＲＨ７１０ｂとマクロｅＮＢ７１０ａとの間の拡張セル間干渉協調(enhanced inter-cell interference coordination)と、ＵＥ７２０によって行われる干渉消去(interference cancelation)とを通して、セルラー領域７０２から拡大された範囲拡大セルラー領域７０３を有し得る。拡張セル間干渉協調において、ＲＲＨ７１０ｂは、マクロｅＮＢ７１０ａからＵＥ７２０の干渉状態に関する情報を受信する。この情報により、ＲＲＨ７１０ｂは、範囲拡大セルラー領域７０３中のＵＥ７２０をサービスし、ＵＥ７２０が範囲拡大セルラー領域７０３に入るとき、マクロｅＮＢ７１０ａからのＵＥ７２０のハンドオフを受け入れることが可能になる。
【００３９】
[0053]  ＬＴＥリリース８、９、または１０（Ｒｅｌ−８／９／１０）では、ダウンリンクデータ送信およびアップリンクデータ送信のためのトランスポートブロックサイズ（ＴＢＳ）が、１）リソース割振りサイズ（ＮPRB’）と、２）変調およびコーディング方式（ＭＣＳ：modulation and coding scheme）インデックスとの２つのファクタに基づいて判断される。
【００４０】
[0054]  リソース割振りサイズＮPRB’は、２０ＭＨｚでは最高１００個のリソースブロック（ＲＢ）であり得る。リソース割振りサイズはインデックスＮPRBにマッピングされ得る。通常ダウンリンクサブフレームの場合、ＮPRB＝ＮPRB’である。時分割複信（ＴＤＤ）における特殊サブフレームの場合、特殊サブフレームのダウンリンクパイロットタイムスロット（ＤｗＰＴＳ）中のＯＦＤＭシンボルの数が通常ダウンリンクサブフレームの数よりも少ない、すなわち、ＮPRB＝ｍａｘ｛｜ＮPRB’ｘ０．７５｜，１｝であるので、０．７５の調整ファクタが適用され得る。新しい特殊サブフレーム構成により、ＬＴＥリリース１１（Ｒｅｌ−１１）において、１よりも小さい値を有する別の調整ファクタが与えられ得る。
【００４１】
[0055]  ＭＣＳインデックスは、０から２６にわたるＴＢＳインデックス（ＩTBS）にマッピングされ得る。リソース割振りサイズおよびＭＣＳインデックスは、例えば、半永続的スケジューリング（ＳＰＳ）の場合、ＳＰＳアクティブ化ＰＤＣＣＨに基づいて、ダウンリンク（ＤＬ）許可および／またはアップリンク（ＵＬ）許可に基づいて判断され得る。
【００４２】
[0056]  ＩTBSによってインデックス付けされた行とＮPRBによってインデックス付けされた列とをもつＴＢＳテーブルが定義され得る。将来の互換性のために、ＴＢＳテーブルは、最高１１０個のＲＢのＮPRBを有し得る。ＴＢＳテーブルは、１）最高コードレートが０．９２の近くに選択される（例えば、コーディングレートが０．９３以上である場合、ＵＥはＰＤＳＣＨ復号をスキップし得る）、２）ＴＢＳテーブル設計がＣＱＩ  ＭＣＳ値に基づく、並びに３）制御のためのｎ＝３つのＯＦＤＭシンボル、２つのアンテナ、および物理リソースブロックごとに１２０個のリソース要素（１２０ＲＥ／ＰＲＢ）を仮定してＭＣＳから計算されたＴＢＳに基づいて構成され得る。従って、単一のＭＣＳテーブルが、Ｔｘアンテナの数、ＰＣＦＩＣＨ（ｎ）、およびサイクリックプレフィックス（ＣＰ）サイズに対して不変である。以下の表１にＴＢＳテーブルの一例を示す。
【表１】
0006676579.tif 000002
【００４３】
[0057]  ＣＱＩインデックスは、以下のファクタ、１）サブフレームの最初の３つのＯＦＤＭシンボルが制御シグナリングによって占有される、２）１次同期信号または２次同期信号あるいはＰＢＣＨによって使用されるリソース要素（ＲＥ）がない、３）非ＭＢＳＦＮサブフレームのサイクリックプレフィックス（ＣＰ）長、４）冗長バージョン０、５）チャネル状態情報基準信号（ＣＳＩ−ＲＳ：channel state information reference signal）と０電力ＣＳＩ−ＲＳとのために割り振られたＲＥがない、６）ＰＲＳのために割り振られたＲＥがない、および７）他のファクタ（例えば、あるＰＤＳＣＨ送信方式またはＣＲＳベースのＰＤＳＣＨのための一定のトラフィック対パイロット比）に基づいて導出され得る。
【００４４】
[0058]  ＬＴＥ  Ｒｅｌ−８／９／１０では、ＰＤＣＣＨが、サブフレーム中の最初のいくつかのシンボル中にある。ＰＤＣＣＨは、システム帯域幅全体にわたって完全に分散され得る。ＰＤＣＣＨはＰＤＳＣＨと時分割多重化され得る。事実上、サブフレームは、制御領域(control region)とデータ領域(data region)とに分割される。
【００４５】
[0059]  ＬＴＥ  Ｒｅｌ−１１では、新しい制御シグナリング（例えば、拡張ＰＤＣＣＨ（ｅＰＤＣＣＨ））が与えられ得る。サブフレーム中の最初のいくつかの制御シンボルを占有するレガシーＰＤＣＣＨとは異なり、ｅＰＤＣＣＨは、ＰＤＳＣＨと同様にデータ領域を占有する。ｅＰＤＣＣＨメッセージは、第１のスロットと第２のスロットの両方（例えば、周波数分割多重化（ＦＤＭ）ベースのｅＰＤＣＣＨ）にわたる。
【００４６】
[0060]  ＬＴＥ  Ｒｅｌ−１１およびそれ以降では、ニューキャリアタイプ（ＮＣＴ）が与えられ得る。ＮＣＴは、必ずしも後方互換性があるとは限らない。ＮＣＴでは、ＣＲＳが、サブフレームのサブセット中にのみ存在（例えば、５つのサブフレームごとに存在）し得る。ＣＲＳは、１ポートのみに限定され得、システム帯域幅のサブセット中にのみ（例えば、１００個のＲＢのシステム帯域幅の２５個のＲＢ中にのみ）存在し得る。これは、ＤＬオーバーヘッドを低減し、ｅＮＢなどのためのエネルギー節約を提供する。
【００４７】
[0061]  ＬＴＥ  Ｒｅｌ−１１では、ＮＣＴが、キャリアアグリゲーションの一部として後方互換性のあるキャリアに関連し得る。ＬＴＥ  Ｒｅｌ−１１では、ＮＣＴのキャリアがスタンドアロンキャリアでないことがある。しかしながら、この制約は、将来のリリースで、ＮＣＴのキャリアがスタンドアロンキャリアであり得るように緩和され得る。ＮＣＴは、全てのサブフレーム中ではないとしても、少なくともいくつかのサブフレーム中でレガシー制御領域(legacy control region)を有しないことがある。ＮＣＴは、必要な制御シグナリングまたは別のキャリアからの制御シグナリングのためのｅＰＤＣＣＨ（および潜在的にｅＰＣＦＩＣＨ／ｅＰＨＩＣＨなど）に完全に依拠し得る。
【００４８】
[0062]  ＬＴＥ  Ｒｅｌ−１２およびそれ以降では、復調基準信号（ＤＭ−ＲＳ：demodulation reference signal）バンドリングが行われ得る。これは、ＤＭ−ＲＳが、ＵＥのためのＰＤＳＣＨに割り当てられたＲＢのサブセット中に存在し、および／またはＵＥのためのＰＤＳＣＨを割り当てられたサブフレームのサブセット中に存在する場合に適用され得る。あるサブフレームのＤＭ−ＲＳが別のサブフレームのために使用されること、またはあるＲＢのＤＭ−ＲＳが別のＲＢのために使用されることなどがあり得る。これは、チャネルコヒーレンス時間および／またはコヒーレンス帯域幅が十分に大きい場合に妥当であり得る。ＤＭ−ＲＳバンドリングが行われたとき、ＤＭ−ＲＳオーバーヘッドが低減される。オーバーヘッドは、いくつかのサブフレームおよび／またはいくつかのＲＢについて０であり得る。
【００４９】
[0063]  ＮＣＴにおいてＴＢＳを判断することに関して問題が生じる。例えば、ＴＢＳ判断のために所定の数のＲＥ／ＰＲＢが仮定されるとき、ＮＣＴはリンク非効率性に影響を及ぼし得る。従って、ＮＣＴにおいてＴＢＳをより効率的に判断するためのソリューションが提供される。
【００５０】
[0064]  例えば、ＴＢＳを判断するとき、１２０ＲＥ／ＰＲＢの仮定は、ＮＣＴに対して控えめすぎることがある。ＣＲＳ、ＣＳＩ−ＲＳがないサブフレーム、およびＤＭ−ＲＳのための０、１２または２４ＲＥ／ＰＲＢのいずれかの場合、ノーマルＣＰのためのＰＤＳＣＨのために利用可能なＲＥ／ＰＲＢの数は、次のように計算され得る。
【数１】
0006676579.tif 000003
【数２】
0006676579.tif 000004
【数３】
0006676579.tif 000005
【００５１】
[0065]  上記の計算を１２０ＲＥ／ＰＲＢの仮定された場合と比較すると、２０〜４０％の差が実現される。
【００５２】
[0066]  その結果、１２０ＲＥ／ＰＲＢを仮定する０．９２の元の最大コーディングレートは、今度は、１）０．９２＊１２０／１６８＝０．６６、２）０．９２＊１２０／１５６＝０．７１、または３）０．９２＊１２０／１４４＝０．７７の最大コーディングレートに対応する。これにより、より高いコーディングレートがサポートされ得るときにリンク非効率性が生じる。
【００５３】
[0067]  同様に、ＮＣＴにおけるＣＱＩ導出について問題が生じる。例えば、ＮＣＴのための３つの制御シンボルの仮定は適切でないことがある。しかしながら、可能なソリューションは、ｅＮＢが、仮定された数のＲＥ／ＰＲＢに対する実際の数のＲＥ／ＰＲＢに基づいてＣＱＩ値を調整することによってその影響を緩和することである。
【００５４】
[0068]  （例えば、上述したように）ＮＣＴにおける非効率的なＴＢＳ判断を解決するのを助けるために、レガシー制御領域および／または（少なくともいくつかのサブフレームにおける）ＣＲＳの不在(absence)並びに／あるいはＤＭ−ＲＳオーバーヘッドを考慮するために、１よりも大きい値を有する調整ファクタが与えられ得る。ＣＰ長、サブフレームタイプ、０、１２個または２４個のＤＭ−ＲＳ  ＲＥなどにかかわらず、単一のファクタが与えられ得る。
【００５５】
[0069]  ２つ以上の調整ファクタが与えられることもある。例えば、１つのファクタがランク１または２ＰＤＳＣＨのために与えられることがあり得、別のファクタがランク３以上のために与えられることなどがあり得る。別の例では、１つのファクタが通常ダウンリンクサブフレームのために与えられ得、１つまたは複数のファクタが、特殊サブフレーム構成に潜在的に依存するＴＤＤにおける特殊サブフレームのために与えられ得る。これは、レガシー制御／ＣＲＳを除去する影響が、通常サブフレームおよび特殊サブフレーム構成について異なり得るからである。別の例では、１つのファクタが、チャネル状態情報基準信号（ＣＳＩ−ＲＳ）を含んでいるダウンリンクサブフレームのために与えられ得、１つまたは複数のファクタが、ＣＳＩ−ＲＳを含んでいないサブフレームのために与えられ得る。
【００５６】
[0070]  特に、特殊サブフレームが６つのダウンリンクパイロットタイムスロット（ＤｗＰＴＳ）シンボルを有する場合、２つのレガシー制御シンボルを除去することにより、ＰＤＳＣＨのためのＲＥの数が概ね（４つのシンボルから６つのシンボルまで）５０％増加することになる。一方、特殊サブフレームが１２個のＤｗＰＴＳシンボルを有する場合、レガシー制御領域を除去することにより、（１０個のシンボルから１２個のシンボルまで）約２０％だけＰＤＳＣＨ  ＲＥの数が増加する。
【００５７】
[0071]  調整ファクタはダウンリンクデータ送信に適用可能であり得る。また、新しい調整ファクタがアップリンクデータ送信のために定義されることもある。一例では、ＰＵＳＣＨのためのＤＭ−ＲＳがバンドルされた（すなわち、ＤＭ−ＲＳが、サブフレームおよび／またはＲＢのサブセット中にのみ存在する）場合、新しい調整ファクタがアップリンクデータ送信のために実装され得る。アップリンクのための調整ファクタは、ダウンリンクのための調整ファクタと比較して、別様に定義され得る。
【００５８】
[0072]  調整ファクタは、全てのＭＣＳ値、全ての数のレイヤなどに適用可能であり得る。しかしながら、調整ファクタは、ＭＣＳのサブセットのためにのみ、例えば、６４ＱＡＭのためにのみ有効化されることもある。
【００５９】
[0073]  調整ファクタの適用可能性は、全てのダウンリンク制御情報（ＤＣＩ：downlink control information）フォーマット、探索空間（共通対ＵＥ固有）、サブフレーム（例えば、ＣＲＳサブフレーム対ＣＲＳなしサブフレーム）、制御チャネルタイプ（ＰＤＣＣＨ対ｅＰＤＣＣＨ）、ＰＤＳＣＨタイプ（例えば、ブロードキャスト対ユニキャスト）などのためのものである。調整ファクタは、上述したファクタのサブセットのみに、特にフォールバック動作に適用可能であり得る。例えば、調整ファクタは、ユニキャストにのみ適用可能であるが、ブロードキャストに適用可能でないことがあり得、ＵＥ固有探索空間(UE-specific search space)によってスケジュールされたＰＤＳＣＨにのみ適用可能であるが、共通探索空間(common search space)によってスケジュールされたＰＤＳＣＨに適用可能でないことがあり得、またはＣＲＳなしサブフレームにのみ適用可能であるが、ＣＲＳサブフレームに適用可能でないことなどがあり得る。
【００６０】
[0074]  調整ファクタは、ＮPRB’からＮPRBへのマッピングを変更することによって適用され得る。例えば、ＮPRB＝ｍｉｎ｛ｃｅｉｌｉｎｇ（α＊ＮPRB’），１１０｝、例えば、α＝１．２であり、ここで、ＮPRB’は、割り当てられるリソース割振りサイズである。
【００６１】
[0075]  代替的に、調整ファクタは、直接、ＴＢＳサイズを変更することによって適用され得る。例えば、ＴＢＳ＝ｃｅｉｌｉｎｇ（ｆ（ＩTBS，ＮPRB）＊α／８）＊８であり、ここで、数８は、ＴＢＳがバイト単位であることを保証する。任意の他の単位について、異なる数が使用され得る。
【００６２】
[0076]  代替的に、新しいＴＢＳテーブルが定義され得る。例えば、新しい数のＲＥ／ＰＲＢペアを考慮して、ＱＰＳＫ対１６ＱＡＭと１６ＱＡＭ対６４ＱＡＭとピークレート処理との間の追加の遷移ＴＢＳサイズが与えられ得る。この手法はピークレートを増加させる。
【００６３】
[0077]  現在、レイヤごとの最大ＴＢＳサイズは７５，３７６である。０．９２の最大コーディングレート、ｅＰＤＣＣＨのための１つのＲＢ、６４ＱＡＭ、および２０ＭＨｚ（１００個のＲＢ）を仮定すると、レイヤごとの調整される最大ＴＢＳは、次のように計算され得る。１）  ０個のＤＭ−ＲＳ  ＲＥの場合：最大ＴＢＳ＝０．９２（最大コーディングレート）＊（１００−１）（ＲＢ）＊６（変調次数）＊（１４＊１２）＝９１，８０８。これは、現在の最大値７５，３７６から２１．８％の増加である。
【００６４】
[0078]  ２） ランク１またはランク２ＰＤＳＣＨ（１２個のＤＭ−ＲＳ  ＲＥ）の場合：最大ＴＢＳ＝０．９２（最大コーディングレート）＊（１００−１）（ＲＢ）＊６（変調次数）＊（１４＊１２−１２）＝８５，２５０。これは、現在の最大値７５，３７６から１３．１％の増加である。
【００６５】
[0079]  ３） ランク３以上のＰＤＳＣＨ（２４個のＤＭ−ＲＳ  ＲＥ）の場合：最大ＴＢＳ＝０．９２＊（１００−１）＊６＊（１４＊１２−２４）＝７８，６９３。これは、現在の最大値７５，３７６から４．４％の増加である。
【００６６】
[0080]  調整ファクタは、手法の組合せを実装することによって適用され得る。例えば、調整ファクタを適用するための複数の手法が存在するとき、ＵＥは、どの手法を使用すべきかを通知され得る。別の例では、使用すべき第１の手法があらかじめ定義される。従って、ＭＣＳおよび／またはリソース割振りサイズが一定のしきい値に達したとき、第２の手法が使用され得る。そうでない場合、第１の手法が使用される。
【００６７】
[0081]  調整ファクタを適用することは、全てのＵＥのために自動的に有効化され得る。例えば、キャリアがＮＣＴであることを検出すると、ＵＥは、ＵＥ固有探索空間における全てのユニキャストトラフィックスケジューリングのための新しい調整ファクタに基づいてＴＢＳを判断し得る。代替的に、調整ファクタを適用することは、シグナリングによってＵＥのために有効化され得る。例えば、有効化信号（enabling signal）は、ＲＲＣ信号またはｅＰＤＣＣＨを介した動的信号（例えば、１または２ビット情報フィールド）であり得る。
【００６８】
[0082]  ＴＢＳは、マルチレイヤ送信を考慮するように調整され得る。ＩTBSとＮPRBとの組合せはレイヤ単位ＴＢＳを判断し得る。トランスポートブロックごとのマルチレイヤ送信（２つ、３つまたは４つのレイヤ）の場合、ＴＢＳは、シングルレイヤＴＢＳおよびレイヤの数（例えば、ほぼシングルレイヤＴＢＳ＊レイヤの数）に基づいて導出され得る。
【００６９】
[0083]  調整ファクタは、シングルレイヤＴＢＳ判断に影響を及ぼし得る（マルチレイヤＴＢＳ判断に暗黙的に影響を及ぼす）。潜在的に、例えば、より高いピークレートについて、新しいテーブルエントリが与えられ得る。
【００７０】
[0084]  代替的に、調整ファクタはマルチレイヤＴＢＳ判断に直接影響を及ぼし得る。例えば、ＴＢＳは、ＴＢＳ＝シングルレイヤＴＢＳ＊レイヤの数＊βのように計算され得、ここで、βは調整ファクタである。
【００７１】
[0085]  低コストＵＥの場合、調整ファクタ（スケーリングファクタ）は適用されないことがある。言い換えれば、新しいスケーリングファクタはＵＥカテゴリー依存であり得る。さらに、新しいＴＢＳテーブルは低コストＵＥによって別個に定義され得る。例えば、新しいＴＢＳテーブルは、ＴＢＳサイズが、２つの列をインデックス付けする１ビットによってインデックス付けされ得、ＱＰＳＫと低コストＵＥの対応するトラフィックニーズとを仮定して最適化され得る場合、ブロードキャストメッセージのためのＴＢＳルックアップテーブルと同じメカニズムに従い得る。
【００７２】
[0086]  開始ＰＤＳＣＨシンボルは０から開始しないことがある。例えば、開始ＰＤＳＣＨシンボルは、同じキャリア周波数におけるレガシーキャリアタイプとニューキャリアタイプとの共存を考慮して第１のスロットの第４のシンボルから開始し得る。そのような場合、調整ファクタは適用されないことがある。代替的に、開始ＰＤＳＣＨシンボルを考慮に入れることによって、異なる調整ファクタが適用され得る。
【００７３】
[0087]  キャリアアグリゲーションの場合、調整されたＴＢＳ動作は独立して動作させられ得る。調整値、調整ファクタの（１つまたは複数の）実効値などを有効化すべきかどうかの動作は独立して行われ得る。例えば、レガシーキャリアタイプのコンポーネントキャリアは調整ファクタなしに与えられ得るが、ニューキャリアタイプをもつコンポーネントキャリアは調整ファクタを与えられ得る。ＣＱＩ判断の場合、ＵＥはレガシー制御領域の不在を仮定し得る。
【００７４】
[0088]  一態様では、ＵＥが、明示的または暗黙的方法でレガシーキャリアタイプ対ニューキャリアタイプを判断し得る。明示的判断は、サービングセルまたは異なるセルからの明示的シグナリングに基づき得る。明示的シグナリングはブロードキャストメッセージまたはユニキャストメッセージであり得る。明示的判断の一例では、キャリアアグリゲーションにおける２次セルがニューキャリアタイプであるという指示をキャリアアグリゲーションにおけるＵＥが受信し得る。明示的判断の別の例では、セルがレガシーキャリアタイプであるか、ニューキャリアタイプであるかを示すために、ＰＢＣＨ中に情報フィールドが存在し得る。暗黙的判断は、レガシーキャリアタイプとニューキャリアタイプとに関連する異なる物理レイヤ特性に基づき得る。暗黙的判断の一例では、ニューキャリアタイプの１次同期信号（ＰＳＳ：primary synchronization signal）および／または２次同期信号（ＳＳＳ：secondary synchronization signal）が、レガシーキャリアタイプと比較して別様に位置し得る。その結果、ＵＥは、ＰＳＳおよび／またはＳＳＳの異なる構成を検出することによって、セルがレガシーキャリアタイプであるか、ニューキャリアタイプであるかを判断し得る。暗黙的判断の別の例では、ニューキャリアタイプが、レガシーキャリアタイプにおけるレガシーＰＢＣＨ設計とは異なる、新しいＰＢＣＨ設計を搬送し得る。その結果、ＵＥは、新しいＰＢＣＨ設計が検出された場合、セルがニューキャリアタイプであると判断し得る。暗黙的判断のさらに別の例では、ＣＲＳが、ニューキャリアタイプにおいて少なくとも時間的に間引かれ(decimated)得る（例えば、５つのサブフレームごとに送信されるだけであり得る）。従って、ＵＥは、セルのＣＲＳが間引かれるべきであると判断された場合、セルがニューキャリアタイプであると判断し得る。
【００７５】
[0089]  図８は、ワイヤレス通信の方法のフローチャート８００である。本方法はＵＥによって行われ得る。ステップ８０２において、ＵＥは、信号を受信するためのキャリアタイプを検出（例えば、判断）する。一例では、ＵＥが、上述の段落で説明した技法のうちの１つまたは複数を使用してキャリアタイプを検出し得る。ステップ８０４において、ＵＥは、検出されたキャリアタイプに少なくとも部分的に基づいてトランスポートブロックサイズ（ＴＢＳ）を判断する。ステップ８０６において、ＵＥは、判断されたＴＢＳに従って信号を受信する。
【００７６】
[0090]  ＴＢＳは、第１の検出されたキャリアタイプのための第１の方式に基づいて判断され、第２の検出されたキャリアタイプのための第２の方式に基づいて判断され得る。第１の方式は少なくとも第１のＴＢＳルックアップテーブルを含み得、第２の方式は、第１のＴＢＳルックアップテーブルとは異なる少なくとも第２のＴＢＳルックアップテーブルを含み得る。第１の検出されたキャリアタイプはレガシーキャリアタイプ（例えば、ＬＴＥ  Ｒｅｌ−８／９／１０キャリアタイプ）であり得る。第２の検出されたキャリアタイプはニューキャリアタイプ（ＮＣＴ）（例えば、ＬＴＥ  Ｒｅｌ−１１またはそれ以降のキャリアタイプ）であり得る。
【００７７】
[0091]  ＴＢＳ判断のための第２の方式は、第２のキャリアタイプのセル中の全てのユーザ機器（ＵＥ）のために自動的に有効化され得る。代替的に、ＴＢＳ判断のための第２の方式は、第２のキャリアタイプのセル中の信号を介して有効化され得る。有効化信号はユーザ機器（ＵＥ）固有信号またはセル固有信号であり得る。
【００７８】
[0092]  検出されたキャリアタイプに少なくとも部分的に基づいてＴＢＳを判断することは、セル中の同じサブフレームタイプのための少なくとも２つの異なるＴＢＳ方式に基づいてＴＢＳ方式を判断することを含み得る。サブフレームタイプは、通常ダウンリンクサブフレーム、通常アップリンクサブフレーム、または特殊サブフレームのうちの少なくとも１つであり得、特殊サブフレームはダウンリンク送信とアップリンク送信の両方を含む。ＴＢＳ方式を判断することは、ダウンリンク制御情報（ＤＣＩ）フォーマット、制御チャネルタイプ、ダウンリンク制御チャネルを介して動的に受信された信号、物理ダウンリンクスケジューリングチャネル（ＰＤＳＣＨ：physical downlink scheduling channel）タイプ、ＰＤＳＣＨの変調次数、信号がユニキャスト信号であるか、マルチキャスト信号であるか、ＰＤＳＣＨがユーザ機器（ＵＥ）固有探索空間によってスケジュールされるか、共通探索空間によってスケジュールされるか、またはサブフレームが共通基準信号（ＣＲＳ：common reference signal）を含んでいるかどうかのうちの少なくとも１つにさらに基づき得る。
【００７９】
[0093]  上述したように、第１のＴＢＳ方式がリソース割振りサイズと変調およびコーディング方式（ＭＣＳ）値とに基づき得、第２のＴＢＳ方式が、リソース割振りサイズと、ＭＣＳ値と、調整ファクタとに基づき得る。調整ファクタは１よりも大きくなり得る。第２のＴＢＳ方式は、調整ファクタに従って、割り当てられるリソース割振りサイズを調整することと、調整されたリソース割振りサイズとＭＣＳ値とに従ってＴＢＳを判断することとを含み得る。代替的に、第２のＴＢＳ方式は、リソース割振りサイズとＭＣＳ値とに従って第１のＴＢＳを判断することと、判断された第１のＴＢＳに調整ファクタを適用することによって、調整されるＴＢＳを計算することとを含み得る。
【００８０】
[0094]  図９は、ワイヤレス通信の方法のフローチャート９００である。本方法はＵＥによって行われ得る。ステップ９０２において、ＵＥは、信号を受信するためのキャリアタイプを検出する。一例では、ＵＥが、上述した技法のうちの１つまたは複数を使用してキャリアタイプを検出し得る。ステップ９０４において、ＵＥは、検出されたキャリアタイプに少なくとも部分的に基づいてチャネル品質情報（ＣＱＩ）を判断する。ステップ９０６において、ＵＥはＣＱＩを送信する。
【００８１】
[0095]  ＣＱＩは、第１の検出されたキャリアタイプのためのオーバーヘッド仮定の第１のセットに基づいて判断され、第２の検出されたキャリアタイプのためのオーバーヘッド仮定の第２のセットに基づいて判断され得る。オーバーヘッド仮定の第１のセットとオーバーヘッド仮定の第２のセットとの間の差は、ダウンリンク制御シグナリングまたは共通基準信号のうちの少なくとも１つを含み得る。オーバーヘッド仮定の第２のセットはサブフレームタイプに基づいて判断され得る。
【００８２】
[0096]  キャリアタイプはニューキャリアタイプ（例えば、ＬＴＥ  Ｒｅｌ−１１またはそれ以降のキャリアタイプ）であり得る。ＣＱＩは、制御シグナリングによって占有されない、ニューキャリアタイプのサブフレームの最初の３つのシンボルに基づいて判断され得る。
【００８３】
[0097]  図１０は、ワイヤレス通信の方法のフローチャート１０００である。本方法はｅＮＢによって行われ得る。ステップ１００２において、ｅＮＢは、信号を送信するためのキャリアタイプを判断する。ステップ１００４において、ｅＮＢは、キャリアタイプに少なくとも部分的に基づいてトランスポートブロックサイズ（ＴＢＳ）を判断する。ステップ１００６において、ｅＮＢは、判断されたキャリアタイプとＴＢＳとに従って信号を送信する。
【００８４】
[0098]  ＴＢＳは、第１のキャリアタイプのための第１の方式に基づいて判断され、第２のキャリアタイプのための第２の方式に基づいて判断され得る。第１の方式は少なくとも第１のＴＢＳルックアップテーブルを含み得、第２の方式は、第１のＴＢＳルックアップテーブルとは異なる少なくとも第２のＴＢＳルックアップテーブルを含み得る。第１のキャリアタイプはレガシーキャリアタイプ（例えば、ＬＴＥ  Ｒｅｌ−８／９／１０キャリアタイプ）であり得る。第２のキャリアタイプはニューキャリアタイプ（ＮＣＴ）（例えば、ＬＴＥ  Ｒｅｌ−１１またはそれ以降のキャリアタイプ）であり得る。ＴＢＳ判断のための第２の方式は、第２のキャリアタイプのセル中の全てのユーザ機器（ＵＥ）のために自動的に有効化され得る。
【００８５】
[0099]  ｅＮＢは、ユーザ機器（ＵＥ）においてＴＢＳ判断のための第２の方式を有効化するために第２のキャリアタイプのセル中の信号を送信し得る。有効化信号はユーザ機器（ＵＥ）固有信号またはセル固有信号であり得る。
【００８６】
[00100]  キャリアタイプに少なくとも部分的に基づいてＴＢＳを判断することは、セル中の同じサブフレームタイプのための少なくとも２つの異なるＴＢＳ方式に基づいてＴＢＳ方式を判断することを含み得る。サブフレームタイプは、通常ダウンリンクサブフレーム、通常アップリンクサブフレーム、または特殊サブフレームのうちの少なくとも１つであり得、特殊サブフレームはダウンリンク送信とアップリンク送信の両方を含む。ＴＢＳ方式を判断することは、ダウンリンク制御情報（ＤＣＩ）フォーマット、制御チャネルタイプ、ダウンリンク制御チャネルを介して動的に受信された信号、物理ダウンリンクスケジューリングチャネル（ＰＤＳＣＨ）タイプ、ＰＤＳＣＨの変調次数、信号がユニキャスト信号であるか、マルチキャスト信号であるか、ＰＤＳＣＨがユーザ機器（ＵＥ）固有探索空間によってスケジュールされるか、共通探索空間によってスケジュールされるか、またはサブフレームが共通基準信号（ＣＲＳ）を含んでいるかどうかのうちの少なくとも１つにさらに基づき得る。
【００８７】
[00101]  第１のＴＢＳ方式がリソース割振りサイズと変調およびコーディング方式（ＭＣＳ）値とに基づき得る。第２のＴＢＳ方式が、上述したように、リソース割振りサイズと、ＭＣＳ値と、調整ファクタとに基づき得る。調整ファクタは１よりも大きくなり得る。第２のＴＢＳ方式は、調整ファクタに従って、割り当てられるリソース割振りサイズを調整することと、調整されたリソース割振りサイズとＭＣＳ値とに従ってＴＢＳを判断することとを含み得る。代替的に、第２のＴＢＳ方式は、リソース割振りサイズとＭＣＳ値とに従って第１のＴＢＳを判断することと、判断された第１のＴＢＳに調整ファクタを適用することによって、調整されるＴＢＳを計算することとを含み得る。
【００８８】
[00102]  図１１は、ワイヤレス通信の方法のフローチャート１１００である。本方法はｅＮＢによって行われ得る。ステップ１１０２において、ｅＮＢは、信号を送信するためのキャリアタイプを判断する。ステップ１１０４において、ｅＮＢは、判断されたキャリアタイプに従って信号を送信する。ステップ１１０６において、ｅＮＢは、キャリアタイプに少なくとも部分的に基づいてユーザ機器（ＵＥ）からチャネル品質情報（ＣＱＩ）を受信する。
【００８９】
[00103]  ＣＱＩは、第１のキャリアタイプのためのオーバーヘッド仮定の第１のセットに基づき、第２のキャリアタイプのためのオーバーヘッド仮定の第２のセットに基づき得る。オーバーヘッド仮定の第１のセットとオーバーヘッド仮定の第２のセットとの間の差は、ダウンリンク制御シグナリングまたは共通基準信号のうちの少なくとも１つを含み得る。オーバーヘッド仮定の第２のセットはサブフレームタイプに基づいて判断され得る。
【００９０】
[00104]  キャリアタイプはニューキャリアタイプ（例えば、ＬＴＥ  Ｒｅｌ−１１またはそれ以降のキャリアタイプ）であり得る。さらに、ニューキャリアタイプのサブフレームの最初の３つのシンボルが制御シグナリングによって占有されないことがある。
【００９１】
[00105]  図１２は、例示的な装置１２０２中の異なるモジュール／手段／構成要素間のデータフローを示す概念データフロー図１２００である。本装置はＵＥであり得る。本装置は、受信モジュール１２０４と、キャリアタイプ検出モジュール１２０６と、トランスポートブロックサイズ判断モジュール１２０８と、チャネル品質情報判断モジュール１２１０と、送信モジュール１２１２とを含む。
【００９２】
[00106]  キャリアタイプ検出モジュール１２０６は、信号を受信するためのキャリアタイプを検出する。一例では、キャリアタイプ検出モジュール１２０６が、上述した技法のうちの１つまたは複数を使用してキャリアタイプを検出し得る。トランスポートブロックサイズ判断モジュール１２０８は、検出されたキャリアタイプに少なくとも部分的に基づいてトランスポートブロックサイズ（ＴＢＳ）を判断する。受信モジュール１２０４は、判断されたＴＢＳに従って信号を受信する。
【００９３】
[00107]  ＴＢＳは、第１の検出されたキャリアタイプのための第１の方式に基づいて判断され、第２の検出されたキャリアタイプのための第２の方式に基づいて判断され得る。第１の方式は少なくとも第１のＴＢＳルックアップテーブルを含み得、第２の方式は、第１のＴＢＳルックアップテーブルとは異なる少なくとも第２のＴＢＳルックアップテーブルを含み得る。第１の検出されたキャリアタイプはレガシーキャリアタイプ（例えば、ＬＴＥ  Ｒｅｌ−８／９／１０キャリアタイプ）であり得る。第２の検出されたキャリアタイプはニューキャリアタイプ（ＮＣＴ）（例えば、ＬＴＥ  Ｒｅｌ−１１またはそれ以降のキャリアタイプ）であり得る。
【００９４】
[00108]  ＴＢＳ判断のための第２の方式は、第２のキャリアタイプのセル中の全てのユーザ機器（ＵＥ）のために自動的に有効化され得る。代替的に、ＴＢＳ判断のための第２の方式は、第２のキャリアタイプのセル中の、受信モジュール１２０４によって受信された信号を介して有効化され得る。有効化信号はユーザ機器（ＵＥ）固有信号またはセル固有信号であり得る。
【００９５】
[00109]  検出されたキャリアタイプに少なくとも部分的に基づいてＴＢＳを判断することは、セル中の同じサブフレームタイプのための少なくとも２つの異なるＴＢＳ方式に基づいてＴＢＳ方式を判断することを含み得る。サブフレームタイプは、通常ダウンリンクサブフレーム、通常アップリンクサブフレーム、または特殊サブフレームのうちの少なくとも１つであり得、特殊サブフレームはダウンリンク送信とアップリンク送信の両方を含む。ＴＢＳ方式を判断することは、ダウンリンク制御情報（ＤＣＩ）フォーマット、制御チャネルタイプ、ダウンリンク制御チャネルを介して動的に受信された信号、物理ダウンリンクスケジューリングチャネル（ＰＤＳＣＨ）タイプ、ＰＤＳＣＨの変調次数、信号がユニキャスト信号であるか、マルチキャスト信号であるか、ＰＤＳＣＨがユーザ機器（ＵＥ）固有探索空間によってスケジュールされるか、共通探索空間によってスケジュールされるか、またはサブフレームが共通基準信号（ＣＲＳ）を含んでいるかどうかのうちの少なくとも１つにさらに基づき得る。
【００９６】
[00110]  上述したように、第１のＴＢＳ方式がリソース割振りサイズと変調およびコーディング方式（ＭＣＳ）値とに基づき得、第２のＴＢＳ方式が、リソース割振りサイズと、ＭＣＳ値と、調整ファクタとに基づき得る。調整ファクタは１よりも大きくなり得る。第２のＴＢＳ方式は、調整ファクタに従って、割り当てられるリソース割振りサイズを調整することと、調整されたリソース割振りサイズとＭＣＳ値とに従ってＴＢＳを判断することとを含み得る。代替的に、第２のＴＢＳ方式は、リソース割振りサイズとＭＣＳ値とに従って第１のＴＢＳを判断することと、判断された第１のＴＢＳに調整ファクタを適用することによって、調整されるＴＢＳを計算することとを含み得る。
【００９７】
[00111]  受信モジュール１２０４は、信号を受信するためのキャリアタイプを検出し得る。一例では、受信モジュール１２０４が、上述した技法のうちの１つまたは複数を使用してキャリアタイプを検出し得る。チャネル品質情報判断モジュール１２１０は、検出されたキャリアタイプに少なくとも部分的に基づいてチャネル品質情報（ＣＱＩ）を判断し得る。送信モジュール１２１２はＣＱＩをｅＮＢ１２５０に送信し得る。
【００９８】
[00112]  ＣＱＩは、第１の検出されたキャリアタイプのためのオーバーヘッド仮定の第１のセットに基づいて判断され、第２の検出されたキャリアタイプのためのオーバーヘッド仮定の第２のセットに基づいて判断され得る。オーバーヘッド仮定の第１のセットとオーバーヘッド仮定の第２のセットとの間の差は、ダウンリンク制御シグナリングまたは共通基準信号のうちの少なくとも１つを含み得る。オーバーヘッド仮定の第２のセットはサブフレームタイプに基づいて判断され得る。
【００９９】
[00113]  キャリアタイプはニューキャリアタイプ（例えば、ＬＴＥ  Ｒｅｌ−１１またはそれ以降のキャリアタイプ）であり得る。ＣＱＩは、制御シグナリングによって占有されない、ニューキャリアタイプのサブフレームの最初の３つのシンボルに基づいて判断され得る。
【０１００】
[00114]  図１３は、例示的な装置１３０２中の異なるモジュール／手段／構成要素間のデータフローを示す概念データフロー図１３００である。本装置はｅＮＢであり得る。本装置は、受信モジュール１３０４と、キャリアタイプ判断モジュール１３０６と、トランスポートブロックサイズ判断モジュール１３０８と、チャネル品質情報処理モジュール１３１０と、送信モジュール１３１２とを含む。
【０１０１】
[00115]  キャリアタイプ判断モジュール１３０６は、信号を送信するためのキャリアタイプを判断し得る。トランスポートブロックサイズ判断モジュール１３０８は、キャリアタイプに少なくとも部分的に基づいてトランスポートブロックサイズ（ＴＢＳ）を判断し得る。送信モジュール１３１２は、判断されたキャリアタイプとＴＢＳとに従って信号を送信し得る。
【０１０２】
[00116]  ＴＢＳは、第１のキャリアタイプのための第１の方式に基づいて判断され、第２のキャリアタイプのための第２の方式に基づいて判断され得る。第１の方式は少なくとも第１のＴＢＳルックアップテーブルを含み得、第２の方式は、第１のＴＢＳルックアップテーブルとは異なる少なくとも第２のＴＢＳルックアップテーブルを含み得る。第１のキャリアタイプはレガシーキャリアタイプ（例えば、ＬＴＥ  Ｒｅｌ−８／９／１０キャリアタイプ）であり得る。第２のキャリアタイプはニューキャリアタイプ（ＮＣＴ）（例えば、ＬＴＥ  Ｒｅｌ−１１またはそれ以降のキャリアタイプ）であり得る。ＴＢＳ判断のための第２の方式は、第２のキャリアタイプのセル中の全てのユーザ機器（ＵＥ）１３５０のために自動的に有効化され得る。
【０１０３】
[00117]  送信モジュール１３１２は、ユーザ機器（ＵＥ）１３５０においてＴＢＳ判断のための第２の方式を有効化するために第２のキャリアタイプのセル中の信号を送信し得る。有効化信号はＵＥ固有信号またはセル固有信号であり得る。
【０１０４】
[00118]  キャリアタイプに少なくとも部分的に基づいてＴＢＳを判断することは、セル中の同じサブフレームタイプのための少なくとも２つの異なるＴＢＳ方式に基づいてＴＢＳ方式を判断することを含み得る。サブフレームタイプは、通常ダウンリンクサブフレーム、通常アップリンクサブフレーム、または特殊サブフレームのうちの少なくとも１つであり得、特殊サブフレームはダウンリンク送信とアップリンク送信の両方を含む。ＴＢＳ方式を判断することは、ダウンリンク制御情報（ＤＣＩ）フォーマット、制御チャネルタイプ、ダウンリンク制御チャネルを介して動的に受信された信号、物理ダウンリンクスケジューリングチャネル（ＰＤＳＣＨ）タイプ、ＰＤＳＣＨの変調次数、信号がユニキャスト信号であるか、マルチキャスト信号であるか、ＰＤＳＣＨがユーザ機器（ＵＥ）固有探索空間によってスケジュールされるか、共通探索空間によってスケジュールされるか、またはサブフレームが共通基準信号（ＣＲＳ）を含んでいるかどうかのうちの少なくとも１つにさらに基づき得る。
【０１０５】
[00119]  第１のＴＢＳ方式がリソース割振りサイズと変調およびコーディング方式（ＭＣＳ）値とに基づき得る。第２のＴＢＳ方式が、上述したように、リソース割振りサイズと、ＭＣＳ値と、調整ファクタとに基づき得る。調整ファクタは１よりも大きくなり得る。第２のＴＢＳ方式は、調整ファクタに従って、割り当てられるリソース割振りサイズを調整することと、調整されたリソース割振りサイズとＭＣＳ値とに従ってＴＢＳを判断することとを含み得る。代替的に、第２のＴＢＳ方式は、リソース割振りサイズとＭＣＳ値とに従って第１のＴＢＳを判断することと、判断された第１のＴＢＳに調整ファクタを適用することによって、調整されるＴＢＳを計算することとを含み得る。
【０１０６】
[00120]  キャリアタイプ判断モジュール１３０６は、信号を送信するためのキャリアタイプを判断し得る。送信モジュール１３１２は、判断されたキャリアタイプに従って信号を送信し得る。その後、チャネル品質情報処理モジュール１３１０は、キャリアタイプに少なくとも部分的に基づいて、ユーザ機器（ＵＥ）１３５０から受信モジュール１３０４を介してチャネル品質情報（ＣＱＩ）を受信し得る。
【０１０７】
[00121]  ＣＱＩは、第１のキャリアタイプのためのオーバーヘッド仮定の第１のセットに基づき、第２のキャリアタイプのためのオーバーヘッド仮定の第２のセットに基づき得る。オーバーヘッド仮定の第１のセットとオーバーヘッド仮定の第２のセットとの間の差は、ダウンリンク制御シグナリングまたは共通基準信号のうちの少なくとも１つを含み得る。オーバーヘッド仮定の第２のセットはサブフレームタイプに基づいて判断され得る。
【０１０８】
[00122]  キャリアタイプはニューキャリアタイプ（例えば、ＬＴＥ  Ｒｅｌ−１１またはそれ以降のキャリアタイプ）であり得る。さらに、ニューキャリアタイプのサブフレームの最初の３つのシンボルが制御シグナリングによって占有されないことがある。
【０１０９】
[00123]  本装置は、図８〜図１１の上述のフローチャート中のアルゴリズムのステップの各々を行う追加のモジュールを含み得る。従って、図８〜図１１の上述のフローチャート中の各ステップは１つのモジュールによって行われ得、本装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを行うように構成されたプロセッサによって実装されるか、プロセッサによる実装のためにコンピュータ可読媒体内に記憶されるか、またはそれらの何らかの組合せであり得る。
【０１１０】
[00124]  図１４は、処理システム１４１４を採用する装置１２０２’のためのハードウェア実装形態の一例を示す図１４００である。処理システム１４１４は、バス１４２４によって概略的に表されるバスアーキテクチャを用いて実装され得る。バス１４２４は、処理システム１４１４の特定の適用例および全体的な設計制約に応じて、任意の数の相互接続バスおよびブリッジを含み得る。バス１４２４は、プロセッサ１４０４によって表される１つまたは複数のプロセッサおよび／またはハードウェアモジュールと、モジュール１２０４、１２０６、１２０８、１２１０、１２１２と、コンピュータ可読媒体１４０６とを含む様々な回路を互いにリンクする。バス１４２４はまた、タイミングソース、周辺機器、電圧調整器、および電力管理回路など、様々な他の回路をリンクし得るが、これら回路は当技術分野においてよく知られており、従って、これ以上説明しない。
【０１１１】
[00125]  処理システム１４１４はトランシーバ１４１０に結合され得る。トランシーバ１４１０は１つまたは複数のアンテナ１４２０に結合される。トランシーバ１４１０は、伝送媒体を介して様々な他の装置と通信するための手段を与える。処理システム１４１４は、コンピュータ可読媒体１４０６に結合されたプロセッサ１４０４を含む。プロセッサ１４０４は、コンピュータ可読媒体１４０６に記憶されたソフトウェアの実行を含む一般的な処理を担う。ソフトウェアは、プロセッサ１４０４によって実行されたとき、処理システム１４１４に、特定の装置のための上述した様々な機能を行わせる。コンピュータ可読媒体１４０６はまた、ソフトウェアを実行するときにプロセッサ１４０４によって操作されるデータを記憶するために使用され得る。処理システムは、モジュール１２０４、１２０６、１２０８、１２１０および１２１２のうちの少なくとも１つをさらに含む。それらのモジュールは、プロセッサ１４０４中で動作するか、コンピュータ可読媒体１４０６中に常駐する／記憶されたソフトウェアモジュールであるか、プロセッサ１４０４に結合された１つまたは複数のハードウェアモジュールであるか、またはそれらの何らかの組合せであり得る。処理システム１４１４は、ＵＥ６５０の構成要素であり得、メモリ６６０、および／またはＴＸプロセッサ６６８と、ＲＸプロセッサ６５６と、コントローラ／プロセッサ６５９とのうちの少なくとも１つを含み得る。
【０１１２】
[00126]  一構成では、ワイヤレス通信のための装置１２０２／１２０２’が、信号を受信するためのキャリアタイプを検出するための手段と、検出されたキャリアタイプに少なくとも部分的に基づいてトランスポートブロックサイズ（ＴＢＳ）を判断するための手段と、判断されたＴＢＳに従って信号を受信するための手段と、検出されたキャリアタイプに少なくとも部分的に基づいてチャネル品質情報（ＣＱＩ）を判断するための手段と、ＣＱＩを送信するための手段とを含む。
【０１１３】
[00127]  上述の手段は、上述の手段によって具陳された機能を行うように構成された、装置１２０２、および／または装置１２０２’の処理システム１４１４の上述のモジュールのうちの１つまたは複数であり得る。上述したように、処理システム１４１４は、ＴＸプロセッサ６６８と、ＲＸプロセッサ６５６と、コントローラ／プロセッサ６５９とを含み得る。従って、一構成では、上述の手段が、上述の手段によって具陳された機能を行うように構成された、ＴＸプロセッサ６６８と、ＲＸプロセッサ６５６と、コントローラ／プロセッサ６５９とであり得る。
【０１１４】
[00128]  図１５は、処理システム１５１４を採用する装置１３０２’のためのハードウェア実装形態の一例を示す図１５００である。処理システム１５１４は、バス１５２４によって概略的に表されるバスアーキテクチャを用いて実装され得る。バス１５２４は、処理システム１５１４の特定の適用例および全体的な設計制約に応じて、任意の数の相互接続バスおよびブリッジを含み得る。バス１５２４は、プロセッサ１５０４によって表される１つまたは複数のプロセッサおよび／またはハードウェアモジュールと、モジュール１３０４、１３０６、１３０８、１３１０、および１３１２と、コンピュータ可読媒体１５０６とを含む様々な回路を互いにリンクする。バス１５２４はまた、タイミングソース、周辺機器、電圧調整器、および電力管理回路など、様々な他の回路をリンクし得るが、これら回路は当技術分野においてよく知られており、従って、これ以上説明しない。
【０１１５】
[00129]  処理システム１５１４はトランシーバ１５１０に結合され得る。トランシーバ１５１０は１つまたは複数のアンテナ１５２０に結合される。トランシーバ１５１０は、伝送媒体を介して様々な他の装置と通信するための手段を与える。処理システム１５１４は、コンピュータ可読媒体１５０６に結合されたプロセッサ１５０４を含む。プロセッサ１５０４は、コンピュータ可読媒体１５０６に記憶されたソフトウェアの実行を含む一般的な処理を担う。ソフトウェアは、プロセッサ１５０４によって実行されたとき、処理システム１５１４に、特定の装置のための上述した様々な機能を行わせる。コンピュータ可読媒体１５０６はまた、ソフトウェアを実行するときにプロセッサ１５０４によって操作されるデータを記憶するために使用され得る。処理システムは、モジュール１３０４、１３０６、１３０８、１３１０、および１３１２のうちの少なくとも１つをさらに含む。それらのモジュールは、プロセッサ１５０４中で動作するか、コンピュータ可読媒体１５０６中に常駐する／記憶されたソフトウェアモジュールであるか、プロセッサ１５０４に結合された１つまたは複数のハードウェアモジュールであるか、またはそれらの何らかの組合せであり得る。処理システム１５１４は、ｅＮＢ６１０の構成要素であり得、メモリ６７６、および／またはＴＸプロセッサ６１６と、ＲＸプロセッサ６７０と、コントローラ／プロセッサ６７５とのうちの少なくとも１つを含み得る。
【０１１６】
[00130]  一構成では、ワイヤレス通信のための装置１３０２／１３０２’が、信号を送信するためのキャリアタイプを判断するための手段と、キャリアタイプに少なくとも部分的に基づいてトランスポートブロックサイズ（ＴＢＳ）を判断するための手段と、判断されたキャリアタイプとＴＢＳとに従って信号を送信するための手段と、判断されたキャリアタイプに従って信号を送信するための手段と、キャリアタイプに少なくとも部分的に基づいてユーザ機器（ＵＥ）からチャネル品質情報（ＣＱＩ）を受信するための手段とを含む。
【０１１７】
[00131]  上述の手段は、上述の手段によって具陳された機能を行うように構成された、装置１３０２、および／または装置１３０２’の処理システム１５１４の上述のモジュールのうちの１つまたは複数であり得る。上述したように、処理システム１５１４は、ＴＸプロセッサ６１６と、ＲＸプロセッサ６７０と、コントローラ／プロセッサ６７５とを含み得る。従って、一構成では、上述の手段が、上述の手段によって具陳された機能を行うように構成された、ＴＸプロセッサ６１６と、ＲＸプロセッサ６７０と、コントローラ／プロセッサ６７５とであり得る。
【０１１８】
[00132]  開示したプロセスにおけるステップの特定の順序または階層は、例示的な手法の一例であることを理解されたい。設計上の選好に基づいて、プロセス中のステップの特定の順序または階層は再構成され得ることを理解されたい。さらに、いくつかのステップは組み合わせられるかまたは省略され得る。添付の方法クレームは、様々なステップの要素を例示的な順序で提示したものであり、提示された特定の順序または階層に限定されるものではない。
【０１１９】
[00133]  以上の説明は、本明細書で説明した様々な態様を当業者が実施できるようにするために与えたものである。これら態様への様々な変更は当業者には容易に明らかであり、本明細書で定義された一般的原理は他の態様に適用され得る。従って、特許請求の範囲は、本明細書に示された態様に限定されるものではなく、特許請求の言い回しに矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつかの」という語は「１つまたは複数の」を表す。特許請求の範囲を含めて、本明細書で使用される場合、２つ以上の項目の列挙中で使用されるとき、「および／または」という語は、列挙された項目のうちのいずれか１つが単独で採用され得ること、または列挙された項目のうちの２つ以上の任意の組合せが採用され得ることを意味する。例えば、組成が、構成要素Ａ、Ｂ、および／またはＣを含んでいると記述されている場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、「のうちの少なくとも１つ」で終わる項目の列挙中で使用される「または」は、例えば、「Ａ、Ｂ、またはＣのうちの少なくとも１つ」の列挙が、ＡまたはＢまたはＣ、またはＡＢまたはＡＣまたはＢＣまたはＡＢＣ（すなわち、ＡおよびＢおよびＣ）を意味するような選言的列挙を示す。
【０１２０】
[00134]  当業者に知られている、または後に知られることになる、本開示全体にわたって説明した様々な態様の要素の全ての構造的および機能的均等物は、参照により本明細書に明確に組み込まれ、特許請求の範囲に包含されるものである。さらに、本明細書で開示されたいかなることも、そのような開示が特許請求の範囲に明示的に具陳されているかどうかにかかわらず、公に供するものではない。いかなるクレーム要素も、その要素が「ための手段」という句を使用して明示的に具陳されていない限り、ミーンズプラスファンクションとして解釈されるべきではない。
以下に、本願の出願当初の特許請求の範囲に記載された発明を付記する。
[Ｃ１]  信号を受信するためのキャリアタイプを検出することと、
前記検出されたキャリアタイプに少なくとも部分的に基づいてトランスポートブロックサイズ（ＴＢＳ）を判断することと、
前記判断されたＴＢＳに従って前記信号を受信することと
を備える、ワイヤレス通信の方法。
[Ｃ２]  前記ＴＢＳが、第１の検出されたキャリアタイプのための第１の方式に基づいて判断され、第２の検出されたキャリアタイプのための第２の方式に基づいて判断される、Ｃ１に記載の方法。
[Ｃ３]
前記第１の方式が少なくとも第１のＴＢＳルックアップテーブルを備え、前記第２の方式が、前記第１のＴＢＳルックアップテーブルとは異なる少なくとも第２のＴＢＳルックアップテーブルを備える、Ｃ２に記載の方法。
[Ｃ４]  前記第１の検出されたキャリアタイプがレガシーキャリアタイプであり、前記第２の検出されたキャリアタイプがニューキャリアタイプである、Ｃ２に記載の方法。
[Ｃ５]  ＴＢＳ判断のための前記第２の方式が、前記第２のキャリアタイプのセル中の全てのユーザ機器（ＵＥ）のために自動的に有効化される、Ｃ２に記載の方法。
[Ｃ６]  ＴＢＳ判断のための前記第２の方式が、前記第２のキャリアタイプのセル中の信号を介して有効化される、Ｃ２に記載の方法。
[Ｃ７]  有効化信号がユーザ機器（ＵＥ）固有信号またはセル固有信号である、Ｃ６に記載の方法。
[Ｃ８]  前記検出されたキャリアタイプに少なくとも部分的に基づいて前記ＴＢＳを前記判断することが、セル中の同じサブフレームタイプのための少なくとも２つの異なるＴＢＳ方式に基づいてＴＢＳ方式を判断することをさらに備える、Ｃ１に記載の方法。
[Ｃ９]  前記サブフレームタイプが、
通常ダウンリンクサブフレーム、
通常アップリンクサブフレーム、または
ダウンリンク送信とアップリンク送信の両方を備える特殊サブフレーム
のうちの少なくとも１つを備える、Ｃ８に記載の方法。
[Ｃ１０]  前記ＴＢＳ方式を前記判断することは、
ダウンリンク制御情報（ＤＣＩ）フォーマット、
制御チャネルタイプ、
ダウンリンク制御チャネルを介して動的に受信された信号、
物理ダウンリンクスケジューリングチャネル（ＰＤＳＣＨ）タイプ、
前記ＰＤＳＣＨの変調次数、
前記信号がユニキャスト信号であるか、マルチキャスト信号であるか、
前記ＰＤＳＣＨがユーザ機器（ＵＥ）固有探索空間によってスケジュールされるか、共通探索空間によってスケジュールされるか、または
サブフレームが共通基準信号（ＣＲＳ）を含んでいるかどうか
のうちの少なくとも１つにさらに基づく、Ｃ８に記載の方法。
[Ｃ１１]  第１のＴＢＳ方式がリソース割振りサイズと変調およびコーディング方式（ＭＣＳ）値とに基づき、第２のＴＢＳ方式が、前記リソース割振りサイズと、前記ＭＣＳ値と、調整ファクタとに基づく、Ｃ８に記載の方法。
[Ｃ１２]  前記調整ファクタが１よりも大きい、Ｃ１１に記載の方法。
[Ｃ１３]  前記第２のＴＢＳ方式が、
前記調整ファクタに従って、割り当てられるリソース割振りサイズを調整することと、
前記調整されたリソース割振りサイズと前記ＭＣＳ値とに従って前記ＴＢＳを判断することと
を備える、Ｃ１１に記載の方法。
[Ｃ１４]  前記第２のＴＢＳ方式が、
前記リソース割振りサイズと前記ＭＣＳ値とに従って第１のＴＢＳを判断することと、
前記判断された第１のＴＢＳに前記調整ファクタを適用することによって、調整されるＴＢＳを計算することと
を備える、Ｃ１１に記載の方法。
[Ｃ１５]  信号を受信するためのキャリアタイプを検出することと、
前記検出されたキャリアタイプに少なくとも部分的に基づいてチャネル品質情報（ＣＱＩ）を判断することと、
前記ＣＱＩを送信することと
を備える、ワイヤレス通信の方法。
[Ｃ１６]  前記ＣＱＩが、第１の検出されたキャリアタイプのためのオーバーヘッド仮定の第１のセットに基づいて判断され、第２の検出されたキャリアタイプのためのオーバーヘッド仮定の第２のセットに基づいて判断される、Ｃ１５に記載の方法。
[Ｃ１７]  オーバーヘッド仮定の前記第１のセットとオーバーヘッド仮定の前記第２のセットとの間の差が、ダウンリンク制御シグナリングまたは共通基準信号のうちの少なくとも１つを備える、Ｃ１６に記載の方法。
[Ｃ１８]  オーバーヘッド仮定の前記第２のセットがサブフレームタイプに基づいて判断される、Ｃ１６に記載の方法。
[Ｃ１９]  前記キャリアタイプがニューキャリアタイプであり、前記ＣＱＩが、制御シグナリングによって占有されない、前記ニューキャリアタイプのサブフレームの最初の３つのシンボルに基づいて判断される、Ｃ１６に記載の方法。
[Ｃ２０]  信号を送信するためのキャリアタイプを判断することと、
前記キャリアタイプに少なくとも部分的に基づいてトランスポートブロックサイズ（ＴＢＳ）を判断することと、
前記判断されたキャリアタイプとＴＢＳとに従って前記信号を送信することと
を備える、ワイヤレス通信の方法。
[Ｃ２１]  前記ＴＢＳが、第１のキャリアタイプのための第１の方式に基づいて判断され、第２のキャリアタイプのための第２の方式に基づいて判断される、Ｃ２０に記載の方法。
[Ｃ２２]  前記第１の方式が少なくとも第１のＴＢＳルックアップテーブルを備え、前記第２の方式が、前記第１のＴＢＳルックアップテーブルとは異なる少なくとも第２のＴＢＳルックアップテーブルを備える、Ｃ２１に記載の方法。
[Ｃ２３]  前記第１のキャリアタイプがレガシーキャリアタイプであり、前記第２のキャリアタイプがニューキャリアタイプである、Ｃ２１に記載の方法。
[Ｃ２４]  ＴＢＳ判断のための前記第２の方式が、前記第２のキャリアタイプのセル中の全てのユーザ機器（ＵＥ）のために自動的に有効化される、Ｃ２１に記載の方法。
[Ｃ２５]  ユーザ機器（ＵＥ）においてＴＢＳ判断のための前記第２の方式を有効化するために前記第２のキャリアタイプのセル中の信号を送信することをさらに備える、Ｃ２１に記載の方法。
[Ｃ２６]  有効化信号がユーザ機器（ＵＥ）固有信号またはセル固有信号である、Ｃ２５に記載の方法。
[Ｃ２７]  前記キャリアタイプに少なくとも部分的に基づいて前記ＴＢＳを前記判断することが、セル中の同じサブフレームタイプのための少なくとも２つの異なるＴＢＳ方式に基づいてＴＢＳ方式を判断することをさらに備える、Ｃ２０に記載の方法。
[Ｃ２８]  前記サブフレームタイプが、
通常ダウンリンクサブフレーム、
通常アップリンクサブフレーム、または
ダウンリンク送信とアップリンク送信の両方を備える特殊サブフレーム
のうちの少なくとも１つを備える、Ｃ２７に記載の方法。
[Ｃ２９]  前記ＴＢＳ方式を前記判断することは、
ダウンリンク制御情報（ＤＣＩ）フォーマット、
制御チャネルタイプ、
ダウンリンク制御チャネルを介して動的に受信された信号、
物理ダウンリンクスケジューリングチャネル（ＰＤＳＣＨ）タイプ、
前記ＰＤＳＣＨの変調次数、
前記信号がユニキャスト信号であるか、マルチキャスト信号であるか、
前記ＰＤＳＣＨがユーザ機器（ＵＥ）固有探索空間によってスケジュールされるか、共通探索空間によってスケジュールされるか、または
サブフレームが共通基準信号（ＣＲＳ）を含んでいるかどうか
のうちの少なくとも１つにさらに基づく、Ｃ２７に記載の方法。
[Ｃ３０]  第１のＴＢＳ方式がリソース割振りサイズと変調およびコーディング方式（ＭＣＳ）値とに基づき、第２のＴＢＳ方式が、前記リソース割振りサイズと、前記ＭＣＳ値と、調整ファクタとに基づく、Ｃ２７に記載の方法。
[Ｃ３１]  前記調整ファクタが１よりも大きい、Ｃ３０に記載の方法。
[Ｃ３２]  前記第２のＴＢＳ方式が、 
前記調整ファクタに従って、割り当てられるリソース割振りサイズを調整することと、
前記調整されたリソース割振りサイズと前記ＭＣＳ値とに従って前記ＴＢＳを判断することと
を備える、Ｃ３０に記載の方法。
[Ｃ３３]  前記第２のＴＢＳ方式が、
前記リソース割振りサイズと前記ＭＣＳ値とに従って第１のＴＢＳを判断することと、
前記判断された第１のＴＢＳに前記調整ファクタを適用することによって、調整されるＴＢＳを計算することと
を備える、Ｃ３０に記載の方法。
[Ｃ３４]  信号を送信するためのキャリアタイプを判断することと、
前記判断されたキャリアタイプに従って前記信号を送信することと、
前記キャリアタイプに少なくとも部分的に基づいてユーザ機器（ＵＥ）からチャネル品質情報（ＣＱＩ）を受信することと
を備える、ワイヤレス通信の方法。
[Ｃ３５]  前記ＣＱＩが、第１のキャリアタイプのためのオーバーヘッド仮定の第１のセットに基づき、第２のキャリアタイプのためのオーバーヘッド仮定の第２のセットに基づく、Ｃ３４に記載の方法。
[Ｃ３６]  オーバーヘッド仮定の前記第１のセットとオーバーヘッド仮定の前記第２のセットとの間の差が、ダウンリンク制御シグナリングまたは共通基準信号のうちの少なくとも１つを備える、Ｃ３４に記載の方法。
[Ｃ３７]  オーバーヘッド仮定の前記第２のセットがサブフレームタイプに基づいて判断される、Ｃ３４に記載の方法。
[Ｃ３８]  前記キャリアタイプがニューキャリアタイプであり、前記ニューキャリアタイプのサブフレームの最初の３つのシンボルが制御シグナリングによって占有されない、Ｃ３４に記載の方法。
[Ｃ３９]  信号を受信するためのキャリアタイプを検出するための手段と、
前記検出されたキャリアタイプに少なくとも部分的に基づいてトランスポートブロックサイズ（ＴＢＳ）を判断するための手段と、
前記判断されたＴＢＳに従って前記信号を受信するための手段と
を備える、ワイヤレス通信のための装置。
[Ｃ４０]  前記ＴＢＳが、第１の検出されたキャリアタイプのための第１の方式に基づいて判断され、第２の検出されたキャリアタイプのための第２の方式に基づいて判断される、Ｃ３９に記載の装置。
[Ｃ４１]  前記第１の方式が少なくとも第１のＴＢＳルックアップテーブルを備え、前記第２の方式が、前記第１のＴＢＳルックアップテーブルとは異なる少なくとも第２のＴＢＳルックアップテーブルを備える、Ｃ４０に記載の装置。
[Ｃ４２]  前記第１の検出されたキャリアタイプがレガシーキャリアタイプであり、前記第２の検出されたキャリアタイプがニューキャリアタイプである、Ｃ４０に記載の装置。
[Ｃ４３]  ＴＢＳ判断のための前記第２の方式が、前記第２のキャリアタイプのセル中の全てのユーザ機器（ＵＥ）のために自動的に有効化される、Ｃ４０に記載の装置。
[Ｃ４４]  ＴＢＳ判断のための前記第２の方式が、前記第２のキャリアタイプのセル中の信号を介して有効化される、Ｃ４０に記載の装置。
[Ｃ４５]  有効化信号がユーザ機器（ＵＥ）固有信号またはセル固有信号である、Ｃ４４に記載の装置。
[Ｃ４６]  前記検出されたキャリアタイプに少なくとも部分的に基づいて前記ＴＢＳを判断するための前記手段が、セル中の同じサブフレームタイプのための少なくとも２つの異なるＴＢＳ方式に基づいてＴＢＳ方式を判断するように構成された、Ｃ３９に記載の装置。
[Ｃ４７]  前記サブフレームタイプが、
通常ダウンリンクサブフレーム、
通常アップリンクサブフレーム、または
ダウンリンク送信とアップリンク送信の両方を備える特殊サブフレーム
のうちの少なくとも１つを備える、Ｃ４６に記載の装置。
[Ｃ４８]  前記ＴＢＳ方式を前記判断することは、
ダウンリンク制御情報（ＤＣＩ）フォーマット、
制御チャネルタイプ、
ダウンリンク制御チャネルを介して動的に受信された信号、
物理ダウンリンクスケジューリングチャネル（ＰＤＳＣＨ）タイプ、
前記ＰＤＳＣＨの変調次数、
前記信号がユニキャスト信号であるか、マルチキャスト信号であるか、
前記ＰＤＳＣＨがユーザ機器（ＵＥ）固有探索空間によってスケジュールされるか、共通探索空間によってスケジュールされるか、または
サブフレームが共通基準信号（ＣＲＳ）を含んでいるかどうか
のうちの少なくとも１つにさらに基づく、Ｃ４６に記載の装置。
[Ｃ４９]  第１のＴＢＳ方式がリソース割振りサイズと変調およびコーディング方式（ＭＣＳ）値とに基づき、第２のＴＢＳ方式が、前記リソース割振りサイズと、前記ＭＣＳ値と、調整ファクタとに基づく、Ｃ４６に記載の装置。
[Ｃ５０]  前記調整ファクタが１よりも大きい、Ｃ４９に記載の装置。
[Ｃ５１]  前記第２のＴＢＳ方式について、前記ＴＢＳを判断するための前記手段が、
前記調整ファクタに従って、割り当てられるリソース割振りサイズを調整することと、
前記調整されたリソース割振りサイズと前記ＭＣＳ値とに従って前記ＴＢＳを判断することと
を行うように構成された、Ｃ４９に記載の装置。
[Ｃ５２]  前記第２のＴＢＳ方式について、前記ＴＢＳを判断するための前記手段が、
前記リソース割振りサイズと前記ＭＣＳ値とに従って第１のＴＢＳを判断することと、
前記判断された第１のＴＢＳに前記調整ファクタを適用することによって、調整されるＴＢＳを計算することと
を行うように構成された、Ｃ４９に記載の装置。
[Ｃ５３]  信号を受信するためのキャリアタイプを検出するための手段と、
前記検出されたキャリアタイプに少なくとも部分的に基づいてチャネル品質情報（ＣＱＩ）を判断するための手段と、
前記ＣＱＩを送信するための手段と
を備える、ワイヤレス通信のための装置。
[Ｃ５４]  前記ＣＱＩが、第１の検出されたキャリアタイプのためのオーバーヘッド仮定の第１のセットに基づいて判断され、第２の検出されたキャリアタイプのためのオーバーヘッド仮定の第２のセットに基づいて判断される、Ｃ５３に記載の装置。
[Ｃ５５]  オーバーヘッド仮定の前記第１のセットとオーバーヘッド仮定の前記第２のセットとの間の差が、ダウンリンク制御シグナリングまたは共通基準信号のうちの少なくとも１つを備える、Ｃ５４に記載の装置。
[Ｃ５６]  オーバーヘッド仮定の前記第２のセットがサブフレームタイプに基づいて判断される、Ｃ５４に記載の装置。
[Ｃ５７]  前記キャリアタイプがニューキャリアタイプであり、前記ＣＱＩが、制御シグナリングによって占有されない、前記ニューキャリアタイプのサブフレームの最初の３つのシンボルに基づいて判断される、Ｃ５４に記載の装置。
[Ｃ５８]  信号を送信するためのキャリアタイプを判断するための手段と、
前記キャリアタイプに少なくとも部分的に基づいてトランスポートブロックサイズ（ＴＢＳ）を判断するための手段と、
前記判断されたキャリアタイプとＴＢＳとに従って前記信号を送信するための手段と
を備える、ワイヤレス通信のための装置。
[Ｃ５９]  前記ＴＢＳが、第１のキャリアタイプのための第１の方式に基づいて判断され、第２のキャリアタイプのための第２の方式に基づいて判断される、Ｃ５８に記載の装置。
[Ｃ６０]  前記第１の方式が少なくとも第１のＴＢＳルックアップテーブルを備え、前記第２の方式が、前記第１のＴＢＳルックアップテーブルとは異なる少なくとも第２のＴＢＳルックアップテーブルを備える、Ｃ５９に記載の装置。
[Ｃ６１]  前記第１のキャリアタイプがレガシーキャリアタイプであり、前記第２のキャリアタイプがニューキャリアタイプである、Ｃ５９に記載の装置。
[Ｃ６２]  ＴＢＳ判断のための前記第２の方式が、前記第２のキャリアタイプのセル中の全てのユーザ機器（ＵＥ）のために自動的に有効化される、Ｃ５９に記載の装置。
[Ｃ６３]  ユーザ機器（ＵＥ）においてＴＢＳ判断のための前記第２の方式を有効化するために前記第２のキャリアタイプのセル中の信号を送信するための手段をさらに備える、Ｃ５９に記載の装置。
[Ｃ６４]  有効化信号がユーザ機器（ＵＥ）固有信号またはセル固有信号である、Ｃ６３に記載の装置。
[Ｃ６５]  前記キャリアタイプに少なくとも部分的に基づいて前記ＴＢＳを判断するための前記手段が、セル中の同じサブフレームタイプのための少なくとも２つの異なるＴＢＳ方式に基づいてＴＢＳ方式を判断するように構成された、方法６１に記載の装置。
[Ｃ６６]  前記サブフレームタイプが、
通常ダウンリンクサブフレーム、
通常アップリンクサブフレーム、または
ダウンリンク送信とアップリンク送信の両方を備える特殊サブフレーム
のうちの少なくとも１つを備える、Ｃ６５に記載の装置。
[Ｃ６７]  前記ＴＢＳ方式を前記判断することは、
ダウンリンク制御情報（ＤＣＩ）フォーマット、
制御チャネルタイプ、
ダウンリンク制御チャネルを介して動的に受信された信号、
物理ダウンリンクスケジューリングチャネル（ＰＤＳＣＨ）タイプ、
前記ＰＤＳＣＨの変調次数、
前記信号がユニキャスト信号であるか、マルチキャスト信号であるか、
前記ＰＤＳＣＨがユーザ機器（ＵＥ）固有探索空間によってスケジュールされるか、共通探索空間によってスケジュールされるか、または
サブフレームが共通基準信号（ＣＲＳ）を含んでいるかどうか
のうちの少なくとも１つにさらに基づく、Ｃ６５に記載の装置。
[Ｃ６８]  第１のＴＢＳ方式がリソース割振りサイズと変調およびコーディング方式（ＭＣＳ）値とに基づき、第２のＴＢＳ方式が、前記リソース割振りサイズと、前記ＭＣＳ値と、調整ファクタとに基づく、Ｃ６５に記載の装置。
[Ｃ６９]  前記調整ファクタが１よりも大きい、Ｃ６８に記載の装置。
[Ｃ７０]  前記第２のＴＢＳ方式について、前記ＴＢＳを判断するための前記手段が、
前記調整ファクタに従って、割り当てられるリソース割振りサイズを調整することと、
前記調整されたリソース割振りサイズと前記ＭＣＳ値とに従って前記ＴＢＳを判断することと
を行うように構成された、Ｃ６８に記載の装置。
[Ｃ７１]  前記第２のＴＢＳ方式について、前記ＴＢＳを判断するための前記手段が、
前記リソース割振りサイズと前記ＭＣＳ値とに従って第１のＴＢＳを判断することと、
前記判断された第１のＴＢＳに前記調整ファクタを適用することによって、調整されるＴＢＳを計算することと
を行うように構成された、Ｃ６８に記載の装置。
[Ｃ７２]  信号を送信するためのキャリアタイプを判断するための手段と、
前記判断されたキャリアタイプに従って前記信号を送信するための手段と、
前記キャリアタイプに少なくとも部分的に基づいてユーザ機器（ＵＥ）からチャネル品質情報（ＣＱＩ）を受信するための手段と
を備える、ワイヤレス通信のための装置。
[Ｃ７３]  前記ＣＱＩが、第１のキャリアタイプのためのオーバーヘッド仮定の第１のセットに基づき、第２のキャリアタイプのためのオーバーヘッド仮定の第２のセットに基づく、Ｃ７２に記載の装置。
[Ｃ７４]  オーバーヘッド仮定の前記第１のセットとオーバーヘッド仮定の前記第２のセットとの間の差が、ダウンリンク制御シグナリングまたは共通基準信号のうちの少なくとも１つを備える、Ｃ７２に記載の装置。
[Ｃ７５]  オーバーヘッド仮定の前記第２のセットがサブフレームタイプに基づいて判断される、Ｃ７２に記載の装置。
[Ｃ７６]  前記キャリアタイプがニューキャリアタイプであり、前記ニューキャリアタイプのサブフレームの最初の３つのシンボルが制御シグナリングによって占有されない、Ｃ７２に記載の装置。
[Ｃ７７]  信号を受信するためのキャリアタイプを検出することと、
前記検出されたキャリアタイプに少なくとも部分的に基づいてトランスポートブロックサイズ（ＴＢＳ）を判断することと、
前記判断されたＴＢＳに従って前記信号を受信することと
を行うように構成された処理システム
を備える、ワイヤレス通信のための装置。
[Ｃ７８]  前記ＴＢＳが、第１の検出されたキャリアタイプのための第１の方式に基づいて判断され、第２の検出されたキャリアタイプのための第２の方式に基づいて判断される、Ｃ７７に記載の装置。
[Ｃ７９]  前記第１の方式が少なくとも第１のＴＢＳルックアップテーブルを備え、前記第２の方式が、前記第１のＴＢＳルックアップテーブルとは異なる少なくとも第２のＴＢＳルックアップテーブルを備える、Ｃ７８に記載の装置。
[Ｃ８０]  前記第１の検出されたキャリアタイプがレガシーキャリアタイプであり、前記第２の検出されたキャリアタイプがニューキャリアタイプである、Ｃ７８に記載の装置。
[Ｃ８１]  ＴＢＳ判断のための前記第２の方式が、前記第２のキャリアタイプのセル中の全てのユーザ機器（ＵＥ）のために自動的に有効化される、Ｃ７８に記載の装置。
[Ｃ８２]  ＴＢＳ判断のための前記第２の方式が、前記第２のキャリアタイプのセル中の信号を介して有効化される、Ｃ７８に記載の装置。
[Ｃ８３]  有効化信号がユーザ機器（ＵＥ）固有信号またはセル固有信号である、Ｃ８２に記載の装置。
[Ｃ８４]  前記検出されたキャリアタイプに少なくとも部分的に基づいて前記ＴＢＳを判断するように構成された前記処理システムが、セル中の同じサブフレームタイプのための少なくとも２つの異なるＴＢＳ方式に基づいてＴＢＳ方式を判断するようにさらに構成された、Ｃ７７に記載の装置。
[Ｃ８５]  前記サブフレームタイプが、
通常ダウンリンクサブフレーム、
通常アップリンクサブフレーム、または
ダウンリンク送信とアップリンク送信の両方を備える特殊サブフレーム
のうちの少なくとも１つを備える、Ｃ８４に記載の装置。
[Ｃ８６]  前記処理システムは、
ダウンリンク制御情報（ＤＣＩ）フォーマット、
制御チャネルタイプ、
ダウンリンク制御チャネルを介して動的に受信された信号、
物理ダウンリンクスケジューリングチャネル（ＰＤＳＣＨ）タイプ、
前記ＰＤＳＣＨの変調次数、
前記信号がユニキャスト信号であるか、マルチキャスト信号であるか、
前記ＰＤＳＣＨがユーザ機器（ＵＥ）固有探索空間によってスケジュールされるか、共通探索空間によってスケジュールされるか、または
サブフレームが共通基準信号（ＣＲＳ）を含んでいるかどうか
のうちの少なくとも１つに基づいて前記ＴＢＳ方式をさらに判断する、Ｃ８４に記載の装置。
[Ｃ８７]  第１のＴＢＳ方式がリソース割振りサイズと変調およびコーディング方式（ＭＣＳ）値とに基づき、第２のＴＢＳ方式が、前記リソース割振りサイズと、前記ＭＣＳ値と、調整ファクタとに基づく、Ｃ８４に記載の装置。
[Ｃ８８]  前記調整ファクタが１よりも大きい、Ｃ８７に記載の装置。
[Ｃ８９]  前記第２のＴＢＳ方式について、前記処理システムが、
前記調整ファクタに従って、割り当てられるリソース割振りサイズを調整することと、
前記調整されたリソース割振りサイズと前記ＭＣＳ値とに従って前記ＴＢＳを判断することと
を行うように構成された、Ｃ８７に記載の装置。
[Ｃ９０]  前記第２のＴＢＳ方式について、前記処理システムが、
前記リソース割振りサイズと前記ＭＣＳ値とに従って第１のＴＢＳを判断することと、
前記判断された第１のＴＢＳに前記調整ファクタを適用することによって、調整されるＴＢＳを計算することと
を行うように構成された、Ｃ８７に記載の装置。
[Ｃ９１]  信号を受信するためのキャリアタイプを検出することと、
前記検出されたキャリアタイプに少なくとも部分的に基づいてチャネル品質情報（ＣＱＩ）を判断することと、
前記ＣＱＩを送信することと
を行うように構成された処理システム
を備える、ワイヤレス通信のための装置。
[Ｃ９２]  前記ＣＱＩが、第１の検出されたキャリアタイプのためのオーバーヘッド仮定の第１のセットに基づいて判断され、第２の検出されたキャリアタイプのためのオーバーヘッド仮定の第２のセットに基づいて判断される、Ｃ９１に記載の装置。
[Ｃ９３]  オーバーヘッド仮定の前記第１のセットとオーバーヘッド仮定の前記第２のセットとの間の差が、ダウンリンク制御シグナリングまたは共通基準信号のうちの少なくとも１つを備える、Ｃ９２に記載の装置。
[Ｃ９４]  オーバーヘッド仮定の前記第２のセットがサブフレームタイプに基づいて判断される、Ｃ９２に記載の装置。
[Ｃ９５]  前記キャリアタイプがニューキャリアタイプであり、前記ＣＱＩが、制御シグナリングによって占有されない、前記ニューキャリアタイプのサブフレームの最初の３つのシンボルに基づいて判断される、Ｃ９２に記載の装置。
[Ｃ９６]  信号を送信するためのキャリアタイプを判断することと、
前記キャリアタイプに少なくとも部分的に基づいてトランスポートブロックサイズ（ＴＢＳ）を判断することと、
前記判断されたキャリアタイプとＴＢＳとに従って前記信号を送信することと
を行うように構成された処理システム
を備える、ワイヤレス通信のための装置。
[Ｃ９７]  前記ＴＢＳが、第１のキャリアタイプのための第１の方式に基づいて判断され、第２のキャリアタイプのための第２の方式に基づいて判断される、Ｃ９６に記載の装置。
[Ｃ９８]  前記第１の方式が少なくとも第１のＴＢＳルックアップテーブルを備え、前記第２の方式が、前記第１のＴＢＳルックアップテーブルとは異なる少なくとも第２のＴＢＳルックアップテーブルを備える、Ｃ９７に記載の装置。
[Ｃ９９]  前記第１のキャリアタイプがレガシーキャリアタイプであり、前記第２のキャリアタイプがニューキャリアタイプである、Ｃ９７に記載の装置。
[Ｃ１００]  ＴＢＳ判断のための前記第２の方式が、前記第２のキャリアタイプのセル中の全てのユーザ機器（ＵＥ）のために自動的に有効化される、Ｃ９７に記載の装置。
[Ｃ１０１]  前記処理システムが、ユーザ機器（ＵＥ）においてＴＢＳ判断のための前記第２の方式を有効化するために前記第２のキャリアタイプのセル中の信号を送信するようにさらに構成された、Ｃ９７に記載の装置。
[Ｃ１０２]  有効化信号がユーザ機器（ＵＥ）固有信号またはセル固有信号である、Ｃ１０１に記載の装置。
[Ｃ１０３]  前記キャリアタイプに少なくとも部分的に基づいて前記ＴＢＳを判断するように構成された前記処理システムが、セル中の同じサブフレームタイプのための少なくとも２つの異なるＴＢＳ方式に基づいてＴＢＳ方式を判断するようにさらに構成された、方法１０１に記載の装置。
[Ｃ１０４]  前記サブフレームタイプが、
通常ダウンリンクサブフレーム、
通常アップリンクサブフレーム、または
ダウンリンク送信とアップリンク送信の両方を備える特殊サブフレーム
のうちの少なくとも１つを備える、Ｃ１０３に記載の装置。
[Ｃ１０５]  前記処理システムは、
ダウンリンク制御情報（ＤＣＩ）フォーマット、
制御チャネルタイプ、
ダウンリンク制御チャネルを介して動的に受信された信号、
物理ダウンリンクスケジューリングチャネル（ＰＤＳＣＨ）タイプ、
前記ＰＤＳＣＨの変調次数、
前記信号がユニキャスト信号であるか、マルチキャスト信号であるか、
前記ＰＤＳＣＨがユーザ機器（ＵＥ）固有探索空間によってスケジュールされるか、共通探索空間によってスケジュールされるか、または
サブフレームが共通基準信号（ＣＲＳ）を含んでいるかどうか
のうちの少なくとも１つに基づいて前記ＴＢＳ方式をさらに判断する、Ｃ１０３に記載の装置。
[Ｃ１０６]  第１のＴＢＳ方式がリソース割振りサイズと変調およびコーディング方式（ＭＣＳ）値とに基づき、第２のＴＢＳ方式が、前記リソース割振りサイズと、前記ＭＣＳ値と、調整ファクタとに基づく、Ｃ１０３に記載の装置。
[Ｃ１０７]  前記調整ファクタが１よりも大きい、Ｃ１０６に記載の装置。
[Ｃ１０８]  前記第２のＴＢＳ方式について、前記処理システムが、
前記調整ファクタに従って、割り当てられるリソース割振りサイズを調整することと、
前記調整されたリソース割振りサイズと前記ＭＣＳ値とに従って前記ＴＢＳを判断することと
を行うように構成された、Ｃ１０６に記載の装置。
[Ｃ１０９]  前記第２のＴＢＳ方式について、前記処理システムが、
前記リソース割振りサイズと前記ＭＣＳ値とに従って第１のＴＢＳを判断することと、
前記判断された第１のＴＢＳに前記調整ファクタを適用することによって、調整されるＴＢＳを計算することと
を行うように構成された、Ｃ１０６に記載の装置。
[Ｃ１１０]  信号を送信するためのキャリアタイプを判断することと、
前記判断されたキャリアタイプに従って前記信号を送信することと、
前記キャリアタイプに少なくとも部分的に基づいてユーザ機器（ＵＥ）からチャネル品質情報（ＣＱＩ）を受信することと
を行うように構成された処理システム
を備える、ワイヤレス通信のための装置。
[Ｃ１１１]  前記ＣＱＩが、第１のキャリアタイプのためのオーバーヘッド仮定の第１のセットに基づき、第２のキャリアタイプのためのオーバーヘッド仮定の第２のセットに基づく、Ｃ１１０に記載の装置。
[Ｃ１１２]  オーバーヘッド仮定の前記第１のセットとオーバーヘッド仮定の前記第２のセットとの間の差が、ダウンリンク制御シグナリングまたは共通基準信号のうちの少なくとも１つを備える、Ｃ１１０に記載の装置。
[Ｃ１１３]  オーバーヘッド仮定の前記第２のセットがサブフレームタイプに基づいて判断される、Ｃ１１０に記載の装置。
[Ｃ１１４]  前記キャリアタイプがニューキャリアタイプであり、前記ニューキャリアタイプのサブフレームの最初の３つのシンボルが制御シグナリングによって占有されない、Ｃ１１０に記載の装置。
[Ｃ１１５]  信号を受信するためのキャリアタイプを検出することと、
前記検出されたキャリアタイプに少なくとも部分的に基づいてトランスポートブロックサイズ（ＴＢＳ）を判断することと、
前記判断されたＴＢＳに従って前記信号を受信することと
を行うためのコードを備えるコンピュータ可読媒体
を備える、コンピュータプログラム製品。
[Ｃ１１６]  信号を受信するためのキャリアタイプを検出することと、
前記検出されたキャリアタイプに少なくとも部分的に基づいてチャネル品質情報（ＣＱＩ）を判断することと、
前記ＣＱＩを送信することと
を行うためのコードを備えるコンピュータ可読媒体
を備える、コンピュータプログラム製品。
[Ｃ１１７]  信号を送信するためのキャリアタイプを判断することと、
前記キャリアタイプに少なくとも部分的に基づいてトランスポートブロックサイズ（ＴＢＳ）を判断することと、
前記判断されたキャリアタイプとＴＢＳとに従って前記信号を送信することと
を行うためのコードを備えるコンピュータ可読媒体
を備える、コンピュータプログラム製品。
[Ｃ１１８]  信号を送信するためのキャリアタイプを判断することと、
前記判断されたキャリアタイプに従って前記信号を送信することと、
前記キャリアタイプに少なくとも部分的に基づいてユーザ機器（ＵＥ）からチャネル品質情報（ＣＱＩ）を受信することと
を行うためのコードを備えるコンピュータ可読媒体
を備える、コンピュータプログラム製品。
【図１】
0006676579.tif 000006
【図２】
0006676579.tif 000007
【図３】
0006676579.tif 000008
【図４】
0006676579.tif 000009
【図５】
0006676579.tif 000010
【図６】
0006676579.tif 000011
【図７】
0006676579.tif 000012
【図８】
0006676579.tif 000013
【図９】
0006676579.tif 000014
【図１０】
0006676579.tif 000015
【図１１】
0006676579.tif 000016
【図１２】
0006676579.tif 000017
【図１３】
0006676579.tif 000018
【図１４】
0006676579.tif 000019
【図１５】
0006676579.tif 000020